(57)【要約】      （修正有）【課題】電子機器の表示画面に対応して覆うように前記電子機器に設けられた吸着体を吸着するためにもちいられるスクリーン保護フィルタを提供する。【解決手段】回折格子フィルムと第１の吸着部材とを含んでいて、回折格子フィルムと第１の吸着部材とは、互いに上下隣接して並ぶと共に２枚の被覆膜の間に覆われるように設置されている。スクリーン保護フィルタ１は、回折格子フィルム１０により画定される視界領域が電子装置の表示画面に対応して覆うように、電子装置に設けられた吸収体を吸収部材で吸着することができる。【選択図】図１
0003221576.tif 000002
【実用新案登録請求の範囲】
【請求項１】
段差のない平坦な外面を有し、少なくとも、第１の被覆膜と、回折格子フィルム及び第１の吸着部材からなる機能層と、第２の被覆膜とを含む積層構造であると共に、電子機器の表示画面に対応して覆うように前記電子機器に設けられた吸着体を吸着するスクリーン保護フィルタであって、
前記回折格子フィルムは、透過可能な光を許容視野角の範囲に限定する視界領域を画定するために用いられるものであり、
前記第１の吸着部材は、吸着領域を画定するために用いられると共に、前記回折格子フィルムを、前記第１の吸着部材の表面と前記回折格子フィルムの表面とが同一の平面にするように結合されて前記機能層を構成するものであり、
前記第１の被覆膜及び前記第２の被覆膜は、前記機能層における前記回折格子フィルム及び前記第１の吸着部材が第１の被覆膜と第２の被覆膜との間に位置するように、前記機能層を前後に覆うに用いられるものである、
ことを特徴とするスクリーン保護フィルタ。
【請求項２】
前記第１の吸着部材は、前記回折格子フィルムとを、サイドバイサイド（side by side）に隣接するように設置されている、
ことを特徴とする請求項１に記載のスクリーン保護フィルタ。
【請求項３】
前記回折格子フィルムには、第１の収容部が形成されており、
前記第１の収容部は、前記回折格子フィルムの辺縁に近接しており、
前記第１の吸着部材は、前記第１の収容部に嵌合されている、
ことを特徴とする請求項１に記載のスクリーン保護フィルタ。
【請求項４】
前記回折格子フィルムには、さらに第２の収容部が形成されており、
前記第２の収容部は、前記回折格子フィルムの辺縁に近接しており、
前記第１の吸着部材はそれぞれ、前記第１の収容部及び前記第２の収容部に嵌合されている、
ことを特徴とする請求項３に記載のスクリーン保護フィルタ。
【請求項５】
前記第１の吸着部材と、前記第１の被覆膜及び前記第２の被覆膜には、互いに対応する開口部をそれぞれ有しており、
前記開口部は、前記電子機器における機能部品を覆わないように対応して構成されており、
ここで、前記第１の吸着部材、前記第１の被覆膜及び前記第２の被覆膜における開口部は、閉じた内縁により画定される貫通孔（スルーホール）、又は、開放した一側と内縁となる３つの側により画定される切欠き（ノッチ）である、
ことを特徴とする請求項１から４のいずれか１つに記載のスクリーン保護フィルタ。
【請求項６】
前記第１の吸着部材は、隙間（ギャップ）により左右に隔てられると共に互いに位置合わせられた２つの半吸着部材を含んでおり、且つ、
前記第１の被覆膜及び前記第２の被覆膜は、それぞれ、前記隙間に対応する開口部を有しており、
前記隙間及び前記開口部は、前記電子機器における機能部品を覆わないように対応して構成されており、
ここで、前記第１の被覆膜及び前記第２の被覆膜の開口部は、開放した一側及び内縁となる３つの側により画定される切欠きである、
ことを特徴とする請求項１から４のいずれか１つに記載のスクリーン保護フィルタ。
【請求項７】
さらに、第２の吸着部材を含んでおり、
前記第１の吸着部材と前記第２の吸着部材は、それぞれ、前記回折格子フィルムの側縁に対向して位置されると共に、前記第１の被覆膜と前記第２の被覆膜との間に設けられた、
ことを特徴とする請求項１に記載のスクリーン保護フィルタ。
【請求項８】
前記第１の吸着部材は、環状に形成すると共に、前記回折格子フィルムの外周縁が本開口部の内周縁に隣接されるように、前記回折格子フィルムを嵌め込む前記本開口部を備える、
ことを特徴とする請求項１に記載のスクリーン保護フィルタ。
【請求項９】
前記吸着体は、前記電子機器に内蔵されているか、又は、前記電子機器の外面に自在に貼り付けされており、かつ、前記第１の吸着部材に対応して吸着するために用いられる、
ことを特徴とする請求項１に記載のスクリーン保護フィルタ。
【請求項１０】
第３の吸着部材をさらに含んでおり、
前記回折格子フィルムの下縁部の隅角部には、引き込み状の収容部が設けられており、
前記第３の吸着部材は、前記回折格子フィルムの下縁部の隅角部に設置される、前記回折格子フィルムの前記収容部に隣接に位置合わせるための内側の辺を有する、
ことを特徴とする請求項１から４のいずれか１項に記載のスクリーン保護フィルタ。
【請求項１１】
前記第３の吸着部材は、長方形、直角三角形又はＬ字状である、
ことを特徴とする請求項１０に記載のスクリーン保護フィルタ。
【請求項１２】
前記吸着体は、前記電子機器に内蔵されているか、又は、前記電子機器の外面に自在に貼り付けされており、前記第１の吸着部材及び前記第３の吸着部材に対応して吸着するために用いられる、
ことを特徴とする請求項１０に記載のスクリーン保護フィルタ。
【請求項１３】
前記第１の吸着部材の少なくとも一方側の表面に設けられる飾り層をさらに含むか、又は、
前記第１の被覆膜及び前記第２の被覆膜の少なくとも一方側の表面に位置するとともに前記第１の吸着部材に対応する飾り層をさらに含む、
ことを特徴とする請求項１に記載のスクリーン保護フィルタ。
【請求項１４】
前記第１の吸着部材は、前記回折格子フィルムの長辺及び／又は短辺に沿って延伸される、ことを特徴とする請求項１に記載のスクリーン保護フィルタ。
【請求項１５】
前記第１の被覆膜と前記第２の被覆膜との間には、前記回折格子フィルム及び前記第１の吸着部材をそれぞれ貼り付けるための第１の粘着層及び第２の粘着層をさらに含む、
ことを特徴とする請求項１に記載のスクリーン保護フィルタ。
【請求項１６】
前記回折格子フィルムは、外層と、複数の格子壁を有する格子層とを含む、ことを特徴とする請求項１に記載のスクリーン保護フィルタ。
【請求項１７】
前記第１の被覆膜及び前記第２の被覆膜からそれぞれ延伸される２つの突起片を有するタブをさらに含む、
ことを特徴とする請求項１に記載のスクリーン保護フィルタ。
【請求項１８】
前記第１の吸着部材及び／又は第３の吸着部材の何れか一方側の表面に設けられる飾り層をさらに含む、又は、
前記第１の被覆膜及び前記第２の被覆膜の何れか一方側の表面に位置するとともに前記第１の吸着部材及び／又は前記第３の吸着部材に対応する飾り層をさらに含む、
ことを特徴とする請求項７に記載のスクリーン保護フィルタ。
【請求項１９】
段差のない平坦な外面を有し、少なくとも第１の被覆膜と回折格子フィルム及び第１の吸着部材からなる機能層と第２の被覆膜とを含む積層構造であると共に、電子機器の表示画面に対応して覆うように前記電子機器に設けられた吸着体を吸着するためのスクリーン保護フィルタであって、
前記回折格子フィルムは、透過可能な光を許容視野角範囲に限定する視界領域を画定するものであり、
前記第１の吸着部材は、吸着領域を画定すると共に、前記回折格子フィルムを、前記第１の吸着部材の表面と前記回折格子フィルムの表面とが同一の平面にするように結合前記機能層を構成するものであり、
前記第１の被覆膜及び前記第２の被覆膜は、前記回折格子フィルム及び前記第１の吸着部材を、第１の被覆膜と第２の被覆膜との間に位置するように前後に覆われており、
前記第１の吸着部材は、隙間（ギャップ）によって左右に隔てられるとともに互いに位置合わせられた２つの半吸着部材を含んでおり、
前記第１の被覆膜及び前記第２の被覆膜は、それぞれ、前記隙間に対応する開口部を有しており、
前記隙間及び前記開口部は、前記電子機器における機能部品を覆わないように対応して構成されており、
前記第１の被覆膜及び前記第２の被覆膜の前記開口部は、片側で開放しかつ３つの内縁によって画定される切欠きである、
ことを特徴とするスクリーン保護フィルタ。
【請求項２０】
第２の吸着部材をさらに含んでおり、
前記第２の吸着部材及び前記第１の吸着部材は、それぞれ、前記回折格子フィルムの側縁に対向して位置されると共に、前前記第１の被覆膜と前記第２の被覆膜との間に設けられた、
ことを特徴とする請求項１９に記載のスクリーン保護フィルタ。
【請求項２１】
前記第１の吸着部材の前記２つの半吸着部材は、環状になるように前記回折格子フィルムの外周縁に沿って環設されると共に、前記回折格子フィルムを嵌め込むための本開口部を備えており、かつ、前記回折格子フィルムの外周縁は、前記本開口部の内周縁に隣接される、
ことを特徴とする請求項１９に記載のスクリーン保護フィルタ。
【請求項２２】
前記隙間は、前記回折格子フィルムの長辺又は短辺に沿って設けられる、
ことを特徴とする請求項１９または２０に記載のスクリーン保護フィルタ。
【請求項２３】
前記回折格子フィルムの下縁部の隅角部に設けられた第３の吸着部材をさらに含んでおり、
前記第３の吸着部材は、長方形、直角三角形又はＬ字状である、
ことを特徴とする請求項１９に記載のスクリーン保護フィルタ。
【請求項２４】
前記２つの半吸着部材の少なくとも一方側の表面に設けられる飾り層をさらに含むか、又は、
前記第１の被覆膜及び前記第２の被覆膜の少なくとも一方側の表面に位置するとともに前記２つの半吸着部材に対応する飾り層をさらに含む、
ことを特徴とする請求項１９に記載のスクリーン保護フィルタ。
【請求項２５】
前記２つの半吸着部材は、前記回折格子フィルムの長辺及び／又は短辺に沿って延伸される、
ことを特徴とする請求項１９に記載のスクリーン保護フィルタ。
【請求項２６】
前記吸着体は、前記電子機器に内蔵されているか、又は、前記電子機器の外面に自在に貼り付けされると共に、前記第１の吸着部材に対応して吸着するために用いられる、
ことを特徴とする請求項１９に記載のスクリーン保護フィルタ。
【請求項２７】
前記第１の吸着部材は、前記回折格子フィルムとを、サイドバイサイド（side by side）に隣接するように設置されている、
ことを特徴とする請求項１9に記載のスクリーン保護フィルタ。
【請求項２８】
前記回折格子フィルムには、さらに第1の収容部が形成されており、
前記第1の収容部は、前記回折格子フィルムの辺縁に近接しており、
前記第１の吸着部材は、前記第１の収容部に嵌合されている、
ことを特徴とする請求項19に記載のスクリーン保護フィルタ。
【請求項２９】
前記回折格子フィルムには、さらに第２の収容部が形成されており、
前記第２の収容部は、前記回折格子フィルムの辺縁に近接しており、
前記第１の吸着部材はそれぞれ、前記第１の収容部及び前記第２の収容部に嵌合されている、
ことを特徴とする請求項28に記載のスクリーン保護フィルタ。
【考案の詳細な説明】
【技術分野】
【０００１】
本考案は、スクリーン保護フィルタに関し、特に、吸着型スクリーン保護フィルタに関する。
【背景技術】
【０００２】
テクノロジの進歩及びインターネットの発展に伴い、例えば、スマートフォンや、タブレット、ノートブック等のモバイル機器は、人々の生活に欠かせないものとなってきている。モバイル機器は、持ち運びやすい利点を持つため、公共の場所、例えば、オフィスや、公共施設、又は、公衆運送工具などにて使用されることがよく見られる。
【０００３】
一般に、市販されているモバイル機器のスクリーンは、覗き見を防止する機能を有していないものが多いため、公共の場所で使用される際に、画面の表示内容が覗き見されやすくなって、ユーザのプライバシーを守ることができなくなる。かかる問題点に鑑みて、容易にのぞき見されないようにするためには、現在、大抵、モバイル機器のスクリーンにプライバシーフィルムを別に貼り付ける対応策を取っていることが一般的である。
しかし、一旦、プライバシーフィルムが不要であるときには、貼り付けて固定されているプライバシーフィルムをはがすことが必要になり、しかも、引き剥がされることにより接着剤を残ることが発生易いため、手間の不便や再装着に支障が生じる。
なお、私的の場所でモバイル機器を使用する場合でも、プライバシー保護を一時的に考慮する必要がないとなるが、固定されたプライバシーフィルムを取り外すことは簡単ではない。
さらに、安全な環境でも、プライバシーフィルムをスクリーンに固定することに伴って、画面の輝度が暗くなったり、コントラストが低下したりするため、そのように長期間使用すると、スクリーンにおける元々の鮮明やコントラストの高い視覚が低下になっている。 よって、プライバシーフィルムを改良する必要性が依然としてある。
【０００４】
上記問題を解決するために、近年、磁気のある機能部品とプライバシーフィルムとを組み合わせる製品が開発された。図１５Ａに示すように、プライバシーフィルムは、機能部品Ｂをフィルム本体Ａのいずれか一側縁に配置すると共に、電子機器２の画面周りの対応する位置に吸着体３を設けるように構成されている。このようなプライバシーフィルムの利用により、ユーザは、使用過程における実際の要求に応じて、プライバシーフィルムをスクリーンに固定するか又は取り外しすることができる。
【０００５】
しかしながら、電子機器におけるハードウェア設計上の薄型化の傾向に伴い、ノートブックなどの電子機器における上部カバーが閉じると、画面側の内面とキーボード側の内面との間には、スペースが非常に限られている。このため、プライバシーフィルムの外面には飾り的又は機能的な突起構造が設けられている場合、ノートブックの上部カバーをスムーズに閉じることができない上に、ノートブックの関連コンポーネントにより行われるスリーププログラムを起動する上部カバーに係わる元々の機能にも妨げられる。
なお、プライバシーフィルムは、視野角の異なる可視光線の透過率を変えることにより覗き見防止の効果を得るものである。このため、プライバシーフィルムをスクリーン画面に固定する際に、図１５Ｂに示すように、フィルム本体Ａからはみ出した機能部品Ｂが、フィルム本体Ａを機能部品のない他方側に傾斜させてしまいことにより、スクリーン面と平行に配置することはできなくなるため、画面を見るときの視認性までに悪影響を及ぼすおそれがある。
【０００６】
過去２０年間で、プライバシーフィルムの視野角規制効果を生じるための重要な材料や技術及び量産技術が、いくつかの大手の材料メーカーに把握されているため、プライバシーフィルムを電子機器のスクリーンに付着する技術の開発は、突起構造をプライバシーフィルムの外面に加えて貼付することのみに限定されている。
従って、簡単かつ迅速に分解及び組み立てすることが可能な効果を得られる外、さらにスクリーン保護フィルタ全体の薄型化の効果にも達成することができる新規なスクリーン保護フィルタへの開発は業界に望まれている。
【考案の概要】
【０００７】
上記の問題点に鑑みて、本創作者は、鋭意研究を通してこのような従来技術の問題点を解決するための種々の解決策を検討した結果、機能部品（例えば、強磁性の吸着部材）及び／又は飾り用部品（例えば、顔料、コーティング層又はパターンフィルムなど）をプライバシーフィルム内の回折格子フィルムと同じ層に一体化することができた新規な技術案が開発された。
かかる新規な技術により、スクリーン保護フィルタ全体の薄型化効果を達成することだけではなく、機能部品及び回折格子フィルムの２つの異なる材質の平面部材が同じ層に一体化されているときにどのようにすれば接合部で傾いたり曲がったりしないかという技術的問題までも解決された。さらに、スクリーン保護フィルタをノートブックのスクリーンに吸着して使用する際にも、上部カバーをスムーズに閉じることができるとともに、ノートブックはスリーププログラムをスムーズに起動することができる。その他、本考案のスクリーン保護フィルタは、簡単かつ迅速に分解及び組み立てすることが可能な効果を得られるものである上で、外部の突起構造を追加する技術提案も必要がないため、機能部品及び飾り用部品をスクリーン保護フィルタに配置できる効果を得られるものである。
【０００８】
また、本考案は、段差のない平坦な外面を有し、少なくとも、第１の被覆膜と、回折格子フィルム及び第１の吸着部材からなる機能層と、第２の被覆膜とを含む積層構造であると共に、電子機器の表示画面に対応して覆うように前記電子機器に設けられた吸着体を吸着するためのスクリーン保護フィルタであって、前記回折格子フィルムは、透過可能な光を許容視野角の範囲に限定する視界領域を画定するために用いられるものであり、前記第１の吸着部材は、吸着領域を画定するために用いられるものであり、且つ、前記回折格子フィルムの側縁にサイドバイサイド（side by side）に上下隣接して設置されていると共に、前記回折格子フィルムの上方に位置されており、前記第１の被覆膜及び前記第２の被覆膜は、前記回折格子フィルム及び前記第１の吸着部材を、前記第１の被覆膜と前記第２の被覆膜との間に位置するように前後に覆うに用いられるものである、ことを特徴とするスクリーン保護フィルタを提供する。
前記第１の吸着部材と、前記第１の被覆膜及び前記第２の被覆膜とは、互いに対応する開口部をそれぞれ有しており、前記開口部は、前記電子機器における機能部品を覆わないように対応して構成されており、ここで、前記第１の吸着部材、前記第１の被覆膜及び前記第２の被覆膜の開口部は、閉じた内縁によって画定される貫通孔（スルーホール）、又は、開放した一側と内縁となった3つの側によって画定される切欠き（ノッチ）である。
前記第１の吸着部材は、隙間（ギャップ）によって左右に隔てられるとともに互いに位置合わせられた２つの半吸着部材を含んでおり、前記第１の被覆膜及び前記第２の被覆膜は、それぞれ、前記隙間に対応する開口部を有しており、前記間隙及び前記開口部は、前記電子機器における機能部品を覆わないように対応して構成されており、ここで、前記第１の被覆膜及び前記第２の被覆膜の開口部は、開放した一側と内縁となった3つの側により画定される切欠きである。
前記スクリーン保護フィルタは、第２の吸着部材をさらに含んでいる。前記第２の吸着部材と前記第１の吸着部材は、それぞれ前記回折格子フィルムの側縁に対向して位置されていると共に、前記回折格子フィルムの側縁にサイドバイサイド（side by side）に上下隣接して設置されており、かつ、第２の吸着部材は、前記回折格子フィルムの下方に位置されている。これにより、前記第１の吸着部材、前記回折格子フィルム及び前記第２の吸着部材を上から下に順次に配列させると共に、前記第１の被覆膜と前記第２の被覆膜との間に配置されるように構成される。
前記第１の吸着部材は、環状に形成すると共に、前記回折格子フィルムの外周縁が前記本開口部の内周縁に隣接される、前記回折格子フィルムを嵌め込むための本開口部を備える。
前記スクリーン保護フィルタは、第３の吸着部材をさらに含んでおり、前記回折格子フィルムの下縁部の隅角部には、引き込み状の収容部が設けられており、前記第３の吸着部材は、前記回折格子フィルムの下縁部の隅角部に設置される、前記回折格子フィルムの前記収容部に隣接に位置合わせるための内側の辺を有する。
前記スクリーン保護フィルタは、前記回折格子フィルムの下縁部の隅角部に設けられた第３の吸着部材をさらに含んでおり、前記第３の吸着部材は、長方形、直角三角形又はＬ字状である。
前記スクリーン保護フィルタは、前記第１の吸着部材の表面及び／又は裏面に飾り層をさらに含むか、又は、前記第１の被覆膜及び前記第２の被覆膜の表面及び／又は裏面に位置するとともに前記第１の吸着部材に対応する飾り層をさらに含む。
前記第１の吸着部材は、前記回折格子フィルムの長辺及び／又は短辺に沿って延伸される。前記スクリーン保護フィルタは、前記第１の被覆膜と前記第２の被覆膜との間に前記回折格子フィルム及び前記第１の吸着部材をそれぞれ貼り付けるための透明な第１の粘着層及び第２の粘着層をさらに含む。
前記スクリーン保護フィルタでは、前記回折格子フィルムは、外層と複数の格子壁を有する格子層とを含む。前記スクリーン保護フィルタは、前記第１の被覆膜及び前記第２の被覆膜からそれぞれ延伸される２つの突起片を有するタブをさらに含む。前記吸着体は、前記吸着部材に対応して吸着するために用いられるものであり、且つ、前記電子機器に内蔵されているか、又は、前記電子機器の外面に自在に貼り付けされている。
【０００９】
また、本考案は、段差のない平坦な外面を有し、少なくとも、第１の被覆膜と、回折格子フィルム、第１の吸着部材及び２つの第３の吸着部材からなる機能層と、第２の被覆膜とを含む積層構造であると共に、電子機器の表示画面に対応して覆うように前記電子機器に設けられた吸着体を吸着するためのスクリーン保護フィルタであって、前記回折格子フィルムは、透過可能な光を許容視野角の範囲に限定する視界領域を画定するために用いられるものであり、前記第１の吸着部材は、吸着領域を画定するために用いられるものであり、前記回折格子フィルムの側縁にサイドバイサイド（side by side）に上下隣接して設置されていると共に、前記回折格子フィルムの上方に位置されているものであり、前記２つの第３の吸着部材は、前記回折格子フィルムの下縁部の２つの隅角部に配置されており、前記第１の被覆膜及び前記第２の被覆膜は、前記回折格子フィルム、前記第１の吸着部材、及び２つの前記第３の吸着部材を、前記第１の被覆膜と前記第２の被覆膜との間に位置するように前後に覆うために用いられるものである、ことを特徴とするスクリーン保護フィルタを提供する。
前記第１の吸着部材と、前記第１の被覆膜及び前記第２の被覆膜は、互いに対応する開口部をそれぞれ有しており、前記開口部は、前記電子機器における機能部品を覆わないように対応して構成されており、前記第１の吸着部材、前記第１の被覆膜及び前記第２の被覆膜における開口部は、閉じた内縁により画定される貫通孔（スルーホール）、又は、開放した一側と内縁となった3つの側により画定される切欠き（ノッチ）である。
前記第１の吸着部材は、隙間（ギャップ）により左右に隔てられるとともに互いに位置合わせられた２つの半吸着部材を含んでおり、前記第１の被覆膜及び前記第２の被覆膜は、それぞれ、前記隙間に対応する開口部を有しており、前記間隙及び前記開口部は、前記電子機器における機能部品を覆わないように対応して構成されており、前記第１の被覆膜及び前記第２の被覆膜における前記開口部は、開放した一側と内縁となった3つの側により画定される切欠きである。
前記回折格子フィルムの下縁部の隅角部に引き込み状の収容部を有しており、前記第３の吸着部材は、前記回折格子フィルムの下縁部の隅角部に前記第３の吸着部材を設置するように前記回折格子フィルムの収容部に隣接に位置合わせるための内側の辺を有する。前記スクリーン保護フィルタは、第３の吸着部材をさらに含んでおり、前記回折格子フィルムの下縁部の隅角部に引き込み状の一対の収容部が設けられており、前記第３の吸着部材は、前記回折格子フィルムの下縁部の隅角部に前記第３の吸着部材を設置するように前記回折格子フィルムの収容部に隣接に位置合わせるための内側の辺を有する。前記第３の吸着部材は、長方形、直角三角形又はＬ字状である。
前記スクリーン保護フィルタは、前記第１の吸着部材及び／又は前記第３の吸着部材の表面及び／又は裏面に設置されている飾り層をさらに含むか、又は、前記第１の被覆膜及び前記第２の被覆膜の表面及び／又は裏面に位置すると共に、前記第１の吸着部材及び／又は前記第３の吸着部材に対応する飾り層をさらに含む。前記第１の吸着部材は、前記回折格子フィルムの長辺及び／又は短辺に沿って延伸される。前記吸着体は、前記電子機器に内蔵されているか、前記電子機器の外面に自在に貼り付けされ、前記吸着部材に対応して吸着するために用いられる。
【００１０】
また、本考案は、段差のない平坦な外面を有し、少なくとも、第１の被覆膜と、回折格子フィルム及び第１の吸着部材からなる機能層と、第２の被覆膜とを含む積層構造であると共に、電子機器の表示画面に対応して覆うように前記電子機器に設けられた吸着体を吸着するためのスクリーン保護フィルタであって、前記回折格子フィルムは、透過可能な光を許容視野角の範囲に限定する視界領域を画定するために用いられるものであり、前記第１の吸着部材は、吸着領域を画定するために用いられるものであり、前記回折格子フィルムの側縁にサイドバイサイド（side by side）に上下隣接して設置されていると共に、前記回折格子フィルムの上方に位置されたものであり、前記２枚の透明な被覆膜は、前記回折格子フィルム及び前記第１の吸着部材を、前記第１の被覆膜と前記第２の被覆膜との間に位置するように前後に覆うために用いられるものであり、前記第１の吸着部材は、隙間（ギャップ）により左右に隔てられるとともに互いに位置合わせられた２つの半吸着部材を含んでおり、前記第１の被覆膜及び前記第２の被覆膜は、それぞれ、前記隙間に対応する開口部を有しており、前記間隙及び前記開口部は、前記電子機器における機能部品を覆わないように対応して構成されており、前記第１の被覆膜及び前記第２の被覆膜の前記開口部は、片側で開放しかつ３つの内縁によって画定される切欠きであり、前記回折格子フィルムを前記電子機器の表示画面に対応して覆うように前記吸着部材により電子機器に設けられた吸着体を吸着することを特徴とするスクリーン保護フィルタを提供する。
前記スクリーン保護フィルタは、第２の吸着部材をさらに含んでおり、前記第２の吸着部材は、前記第１の吸着部材と対向して前記回折格子フィルムの側縁に位置され、前記回折格子フィルムの側縁にサイドバイサイド（side by side）に上下隣接して設置されると共に、前記回折格子フィルムの下方に位置されており、且つ、前記第２の吸着部材は、前記回折格子フィルムの下方に位置され、前記第１の吸着部材、前記回折格子フィルム及び前記第２の吸着部材を上から下に順次に配列させると共に、前記第１の被覆膜と前記第２の被覆膜との間に配置されるように構成されている。前記第１の吸着部材の前記２つの半吸着部材は、環状になるように前記回折格子フィルムの外周縁に沿って環設されるとともに、前記回折格子フィルムの外周を前記本開口部の内周に隣接するように、前記回折格子フィルムを嵌め込むための本開口部を備える。前記隙間は、前記回折格子フィルムの長辺又は短辺に沿って設けられる。前記スクリーン保護フィルタは、前記回折格子フィルムの下縁部の隅角部に配置された第３の吸着部材をさらに含んでおり、前記第３の吸着部材は、長方形、直角三角形又はＬ字状である。前記スクリーン保護フィルタは、前記２つの半吸着部材の表面及び／又は裏面に設置されている飾り層をさらに含むか、又は、前記第１の被覆膜及び前記第２の被覆膜の表面及び／又は裏面に位置する、前記２つの半吸着部材に対応する飾り層をさらに含む。前記２つの半吸着部材は、前記回折格子フィルムの長辺及び／又は短辺に沿って延伸される。前記吸着体は、前記電子機器に内蔵されているか、又は、前記電子機器の外面に自在に貼り付けされ、前記吸着部材に対応して吸着するために用いられる。
【００１１】
従って、本考案のスクリーン保護フィルタによれば、何十年もの間も未解決だった外部付け部品の設計方向を転覆し、吸着部材を回折格子フィルムの側縁に上下隣接に並ぶとともに、２枚の被覆膜を表裏に貼り付けることで、機能部品と飾り用部品とを回折格子フィルムと同じ層に統合し、元々の素早い吸着除去機能と飾り的な要求を維持しながらスクリーン保護フィルタをさらに薄型化にする効果を達成することができる。さらに、本考案のスクリーン保護フィルタによれば、２枚の被覆膜に第１の粘着層及び第２の粘着層を前後に貼り付けることにより、独立した２つの平面部材である回折格子フィルムと吸着部材が接合部で傾いたり曲がったりすることはないという十分な構造強度を与えることができる。
【図面の簡単な説明】
【００１２】
【図１】本考案に係る一実施形態でのスクリーン保護フィルタ１を示す分解斜視図である。
【図２Ａ】本考案に係る一実施形態でのスクリーン保護フィルタ１を示す斜視図である。
【図２Ｂ】図２Ａにおける領域２Ｈを示す部分拡大図である。
【図２Ｃ】図２Ａにおける領域２Iを示す部分拡大図である。
【図３Ａ】図１のスクリーン保護フィルタ１及び電子機器を示す分解斜視図である。
【図３Ｂ】図１のスクリーン保護フィルタ１及び電子機器を示す分解斜視図である。
【図３Ｃ】図１のスクリーン保護フィルタ１及び電子機器を示す分解斜視図である。
【図４Ａ】図１による一実施形態での回折格子フィルムを示す断面図である。
【図４Ｂ】図１による他の実施形態での回折格子フィルムを示す断面図である。
【図５】本考案に係る他の実施形態でのスクリーン保護フィルタ１を示す分解斜視図である。
【図６】本考案に係る他の実施形態でのスクリーン保護フィルタ１を示す分解斜視図である。
【図７Ａ】本考案に係る他の実施形態でのスクリーン保護フィルタ１を示す分解斜視図である。
【図７Ｂ】図７Ａにおけるスクリーン保護フィルタ１を示す断面視図である。
【図８】本考案に係る他の実施形態でのスクリーン保護フィルタ１を示す分解斜視図である。
【図９】本考案に係る他の実施形態でのスクリーン保護フィルタ１を示す分解斜視図である。
【図１０Ａ】本考案に係る他の実施形態でのスクリーン保護フィルタ１を示す斜視図である。
【図１０Ｂ】図１０Ａにおける領域８Ｈを示す部分拡大図である。
【図１０Ｃ】本考案に係る図１０Ａ、図１０Ｂにおける開口部３４'、２４'、４４'の方案が図６のスクリーン保護フィルタ１に適用された実施形態を示す斜視図である。
【図１０Ｄ】本考案に係る図１０Ａ、図１０Ｂにおける開口部３４'、２４'、４４'の方案が図９のスクリーン保護フィルタ１に適用された実施形態を示す斜視図である。
【図１０Ｅ】本考案に係る図１０Ａ、図１０Ｂにおける開口部３４'、２４'、４４'の方案が図７Ａのスクリーン保護フィルタ１に適用された実施形態を示す斜視図である。
【図１１Ａ】本考案に係る他の実施形態でのスクリーン保護フィルタ１を示す斜視図である。
【図１１Ｂ】図１１Ａにおける領域１１Ｈを示す部分拡大図である。
【図１１Ｃ】本考案に係る図１１Ａ、図１１Ｂにおける開口部３４'、４４'及び隙間２４ 'の方案が図６のスクリーン保護フィルタ１に適用された実施形態を示す斜視図である。
【図１１Ｄ】本考案に係る図１０Ａ、図１０Ｂにおける開口部３４'、４４'及び隙間２４'の方案が図７のスクリーン保護フィルタ１に適用された実施形態を示す斜視図である。
【図１１Ｅ】本考案に係る図１０Ａ、図１０Ｂにおける開口部３４'、４４'及び隙間２４'の方案が図8のスクリーン保護フィルタ１に適用された実施形態を示す斜視図である。
【図１２Ａ】本考案に係る他の実施形態でのスクリーン保護フィルタ１を示す斜視図である。
【図１２Ｂ】本考案に係る他の実施形態でのスクリーン保護フィルタ１を示す斜視図である。
【図１３Ａ】本考案に係る他の実施形態でのスクリーン保護フィルタ１を示す斜視図である。
【図１３Ｂ】本考案に係る他の実施形態でのスクリーン保護フィルタ１を示す斜視図である。
【図１４Ａ】本考案に係る他の実施形態でのスクリーン保護フィルタ１を示す斜視図である。
【図１４Ｂ】図１４Ａにおける領域１４Ｈを示す部分拡大図である。
【図１４Ｃ】本考案に係る他の実施形態でのスクリーン保護フィルタ１を示す部分拡大斜視図である。
【図１５Ａ】本考案に係る他の実施形態でのスクリーン保護フィルタ１を示す部分拡大斜視図である。
【図１５Ｂ】本考案に係る他の実施形態でのスクリーン保護フィルタ１を示す部分拡大斜視図である。
【図１５Ｃ】本考案に係他の実施形態でのるスクリーン保護フィルタ１を示す部分拡大斜視図である。
【図１６Ａ】本考案に係る他の実施形態でのスクリーン保護フィルタ１を示す斜視図である。
【図１６Ｂ】本考案に係る他の実施形態でのスクリーン保護フィルタ１であって、図１６Ａ案が図１１Ｃに施された実施形態を示す正面図である。
【図１６Ｃ】本考案に係る他の実施形態でのスクリーン保護フィルタ１であって、図１６Ａ案が図１０Ｃに施された実施形態を示す正面図である。
【図１６Ｄ】本考案に係る他の実施形態でのスクリーン保護フィルタ１であって、図１６Ａ案が図６に施された実施形態を示す正面図である。
【図１６Ｅ】本考案に係る他の実施形態でのスクリーン保護フィルタ１であって、図１６Ａ案が図１１Ｄに施された実施形態を示す正面図である。
【図１６Ｆ】本考案に係る他の実施形態でのスクリーン保護フィルタ１のであって、図１６Ａ案が図１０Ｄに施された実施形態を示す正面図である。
【図１６Ｇ】本考案に係る他の実施形態でのスクリーン保護フィルタ１のであって、図１６Ａ案が図７に施された実施形態を示す正面図である。
【図１７Ａ】従来のスクリーン保護フィルタを示す断面図である。
【図１７Ｂ】図１７Ａにおける領域１７Ｈを示す部分拡大図である。
【考案を実施するための形態】
【００１３】
以下に、図面を参照しながら、所定の創作目的を達成しようとするために取った本考案に係る技術的手段について、好ましい実施形態を挙げてより詳しく説明するが、本考案に係る詳細な説明及び技術的内容、並びに添付の図面は、参照及び説明に資するために提供されるものであって、本考案を限定するものではない。なお、以下の説明において、「上」、「下」、「左」、「右」、「上」、「下」、「内側」、「外側」などの向き又は位置関係ついては、図面に示された向き又は位置関係であり、単に本考案を簡単に説明する便宜上のものであり、明細書中の各装置又は構成要素が特定の向きを有し、特定の向きで構築及び操作されなければならないことを意図するものではないため、本考案を限定するものとは理解されるべきではない。
【００１４】
本考案の各実施形態に開示されているスクリーン保護フィルタは、以下の設計上の考慮事項に基づくものである。まず、電子機器におけるハードウェア設計上の薄型化の傾向に伴い、ノートブックなどの電子機器における上部カバーが閉じる場合、画面側の内面とキーボード側の内面との間に画定されるスペースは非常に限られている。また、プライバシーフィルムの外面に飾り的又は機能的な突起構造を設けるとしたら、ノートブックの上部カバーをスムーズに閉じることができないため、ノートブックの関連コンポーネントにより行われるスリーププログラムを起動する上部カバーにおける元々の機能も妨げられる。よって、本考案の各実施形態のスクリーン保護フィルタは、その外面に突起構造を持たないことで、スクリーン保護フィルタを一層薄型化しようとしたが、大きな技術的問題が存在している。
【００１５】
プライバシーフィルムの視野角規制効果を生じるための重要な材料や技術及び量産技術が、過去２０年間で、いくつかの大手の材料メーカーに把握されていることから、プライバシーフィルムを電子機器のスクリーンに付着する技術の開発は、プライバシーフィルムの外面に突起構造を加えたり付着したりすることのみに限定されている。よって、本考案では、機能部品（例えば、強磁性の吸着部材など）及び／又は飾り用部品（例えば、人工皮革又は着色塗料など）をプライバシーフィルムの外側のみに設けるという、長期間に亘っても未解決だった技術開発の限界を克服しなければならない。このような問題を解決するために、本考案は、機能部品（例えば、強磁性の吸着部材）及び／又は飾り用部品（例えば顔料、コーティング層又はパターンフィルム）をプライバシーフィルム内の回折格子と同じ層に一体化することにより、全体の薄型化効果を達成する可能なスクリーン保護フィルタを提供する。
さらに、本考案によれば、クリーン保護フィルタをノートブックのスクリーンに吸着して使用する場合も、上部カバーをスムーズに閉じることができる上に、ノートブックにおけるスリーププログラムをスムーズに起動することができる。また、本考案によれば、スクリーン保護フィルタは、簡単かつ迅速な分解及び組み立ての効果を得るとともに、外部の突起構造を追加しなくても、スクリーン保護フィルタに機能部品及び飾り用部品を配置可能な効果を得られる。
なお、機能部品と回折格子フィルムとを同じ層に一体化するときに異質材料の接合などの別の技術的問題が存在しているが、本考案によれば、例えば、異なる材料である独立した２つの平面部品を接合する箇所にも傾いたり曲がったりしないようにすることができる。
【００１６】
以下に、本考案に係わる実施形態や図面について、図１の座標系を参照しながら説明する。ここで、矢印Ｌの方向は左側を表し、矢印Ｒは右側を表し、矢印Ｕの方向は上方又は上側を表し、矢印Ｂの方向は下方又は下側を表し、矢印Ｆ方向は表側又は正面を表し、矢印Ｒは裏側又は裏面を表す。
【００１７】
図１に示すように、スクリーン保護フィルタ１の一実施形態の分解斜視図である。本実施形態では、スクリーン保護フィルタ１は、略長方形であり、回折格子フィルム１０と、第１の吸着部材２０とを含み、回折格子フィルム１０と第１の吸着部材２０とが透明な第１の被覆膜３０と第２の被覆膜４０との間に配置されている。
【００１８】
本実施形態では、回折格子フィルム１０と、第１の被覆膜３０及び第２の被覆膜４０は、それぞれ略長方形状のシートであり、第１の吸着部材２０は長尺状のシートである。第１の被覆膜３０と第２の被覆膜４０とは同じ大きさであり、回折格子フィルム１０と第１の吸着部材２０とを組み立てた後の形状の大きさは、第１の被覆膜３０及び第２の被覆膜４０と同じである。様々な実施形態において、スクリーン保護フィルタ１の実際の総厚さは、視覚的に認識することが困難である程度で、約０．４〜０．５０ｍｍ±５〜１０％であることが好ましい。説明の便宜のために、各実施形態におけるスクリーン保護フィルタ１の構造の幾何学的比率は、いずれも調整されている。その外面に機能部品及び飾り用部品が配置されている従来のプライバシーフィルムの厚さは、０．９５〜１．４ｍｍ±１０〜１５％以内にするのに対し、本考案のスクリーン保護フィルタ１は、厚さが約５８〜６５％まで大幅に減縮されているため、現代の電子機器におけるより薄型化及び狭額縁構造の空間利用の傾向を満たすことができる。
【００１９】
次に、図１、図２Ａ 、図２Ｂ、２Ｃ及び図３Ａに併せて参照する。図２Ａは、スクリーン保護フィルタ１の一実施形態の斜視図、図２Ｂは、図２Ａの領域２Ｈの部分拡大図、図２Ｃは、図２Ａの領域２Ｉの部分拡大図である。図３Ａは、図１のスクリーン保護フィルタ１及び電子機器２の分解斜視図である。
【００２０】
本実施形態では、回折格子フィルム１０と第１の吸着部材２０とはサイドバイサイド（side by side）に上下隣接して配置されており、第１の吸着部材２０は、回折格子フィルム１０の上方に配置されている。一実施形態では、第１の吸着部材２０の下縁部２２は、隣接する回折格子フィルム１０の上縁部１１に位置合わせられ、両者が接着することで固定されてもよいし、互いに隣接のみにしてもよい。一例として、第１の吸着部材２０の両側縁部２３Ａ ，２３Ｂは、それぞれ、回折格子フィルム１０の両側縁部１３Ａ、１３Ｂと上下に位置合わせることが挙げられる。好ましい実施形態において、吸着部材２０は、回折格子フィルム１０と同じかそれに近い厚さを有し、吸着部材２０は、回折格子フィルム１０より薄い厚さを有することが望ましい。
【００２１】
回折格子フィルム１０における両側縁部１３Ａ、１３Ｂ及び下縁部１２を、第２の被覆膜４０の両側縁部４３Ａ、４３Ｂ及び下縁部４２にそれぞれ位置合わせ、さらに、第１の吸着部材２０の両側縁部２３Ａ ，２３Ｂ及び上縁部２１を第２の被覆膜４０の両側縁部４３Ａ、４３Ｂの上側及び上縁部４１にそれぞれ位置合わせることにより、回折格子フィルム１０及び第１の吸着部材２０が同一平面に機能層を形成する。そして、同様に、第１の被覆膜３０の両側縁部３３Ａ、３３Ｂ及び下縁部３２を回折格子フィルム１０の両側縁部１３Ａ、１３Ｂ及び下縁部１２にそれぞれ位置合わせ、第１の被覆膜３０の両側縁部３３Ａ、３３Ｂの上側及び上縁部３１を第１の吸着部材２０の両側縁部２３Ａ ，２３Ｂ及び上縁部２１にそれぞれ位置合わせる。
【００２２】
上記のように、第１の被覆膜３０の上部領域、第１の吸着部材２０、及び第２の被覆膜４０の上部領域には、順次に積層され、面積の対応する吸着領域１Ａを形成している。吸着領域１Ａの下方に位置した箇所、すなわち第１の被覆膜３０のメイン領域、回折格子フィルム１０、及び第２の被覆膜４０のメイン領域にも、順次に積層され、面積の対応する視界領域１Ｂを形成している。
【００２３】
これにより、図３Ａに示すように、スクリーン保護フィルタ１の吸着領域１Ａに第１の吸着部材２０を配置し、スクリーン保護フィルタ１を第１の吸着部材２０によって電子機器２の表示画面４の外側の吸着体３に引き合うことが可能である。
本実施形態では、電子機器２はノートブックであり、吸着体３は、電子機器２の内部であって表示画面４の上方に配置され、スクリーン保護フィルタ１上に配置された吸着部材２０に対応する。図３Ａでは、スクリーン保護フィルタ１の吸着部材２０と電子機器２の吸着体３とは、それぞれ、異なる磁極を有する磁性材料（例えば、フェライト（ferrite）磁石、アルニコ磁石又は希土類磁石の群のうちいずれか一つ又はその任意の組合せ）であってもよい。あるいは、第１の吸着部材２０と吸着体３とを互いに引き付けることを可能にするためには、第１の吸着部材２０と吸着体３のうち、いずれか一方が磁石で、他方が強磁性部材（例えば、ケーシングや構造部材の一部を、磁力により引き寄せる可能な鉄、ニッケル、コバルトなどの金属単体又は多金属合金などで形成することができる、）であってもいい。
いくつかの実施形態において、第１の吸着部材２０は、薄く細長い金属シート／金属帯、磁性／強磁性シートで構成されてもいいか、又は、金属もしくは磁性／強磁性材料を含むコーティング層により実現することができる。よって、スクリーン保護フィルタ１は、第１の吸着部材２０が電子機器２の吸着体３に近接すると、磁気吸引原理により第１の吸着部材２０を吸着体３に吸着させ、スクリーン保護フィルタ１の吸着領域１Ａが電子機器２に固定さるとともに、スクリーン保護フィルタ１の視界領域１Ｂを電子機器２の表示画面４に覆い、のぞき見防止する効果を達成することができる。また、ユーザがそれを取り外せしようとする場合、本考案では、単に、スクリーン保護フィルタ１における吸着部材２０を電子機器２の吸着体３から取り外せばいいため、取り外し容易かつ迅速な利点を得ることができる。
【００２４】
図３Ｂ及び図３Ｃは、それぞれ、図１のスクリーン保護フィルタ１及び電子機器２を示す分解斜視図である。図３Ａと異なる点は、図３Ｂ及び図３Ｃの電子機器２は、表示画面４の外側に吸着体３を有さず、スクリーン保護フィルタ１は、さらに独立した吸着体３Ｔ又は２つの吸着体３Ｔ 'を含み、 吸着体３Ｔ、３Ｔ 'は、強磁性を有し、電子機器２上の表示画面４の外側に接着するための接着剤層を有する。図３Ｂ及び図３Ｃでは、スクリーン保護フィルタ１の吸着部材２０と吸着体３Ｔ、３Ｔ 'とは、それぞれ異なる磁極の磁性材料（例えば、フェライト（ferrite）磁石、アルニコ磁石又は希土類磁石の群のうちいずれか一つ又はその任意の組合せである。）であってもよい。あるいは、第１の吸着部材２０と吸着体３Ｔ、３Ｔ 'とを互いに引き付けることを可能にするためには、第１の吸着部材２０及び吸着体３Ｔ、３Ｔ 'のうち何れかの一方が磁石で、他方が強磁性部材（例えば、磁力により引き寄せる可能な鉄、ニッケル、コバルトなどの金属単体又は多金属合金などである。）であってもいい。いくつかの実施形態において、吸着部材２０と吸着体３Ｔ、３Ｔ 'との強磁性特性は、薄く細長い金属シート／金属帯、磁性／強磁性シートにより実現することができるか、又は、金属もしくは磁性／強磁性材料を含むコーティング層により実現することができる。
いくつかの実施形態において、吸着部材２０の厚さは、例えば、０．１〜０．５ｍｍ±５〜２０％の範囲が適用され、好ましくは０．２〜０．３５ｍｍ±５〜２０％、より好ましくは０．３０〜０．３５ｍｍ±５〜２０％の範囲である。様々な実施形態において、吸着部材の厚さは、例えば、０．４〜０．７ｍｍで、又は０．４、０．５、０．６もしくは０．７ｍｍ±５〜２０％の範囲内にすることができる。
【００２５】
また、図３Ａのスクリーン保護フィルタ１の吸着部材２０は、電子機器２の視覚センサ５（例えば、ＣＣＤ又はＣＭＯＳを含むカメラ）に対応する開口部２４を有し、第１の被覆膜３０及び第２の被覆膜４０にも、第１の吸着部材の開口部２４に対応する開口部３４、４４がそれぞれ設けられている。このように、本考案によれば、順次貫通する開口部３４、開口部２４及び開口部４４により形成された中空通路を介して、スクリーン保護フィルタ１が電子機器２に取り付けられた場合、視覚センサ５の機能がスクリーン保護フィルタ１に覆われてなくなることを防止することができる。
前述の開口部３４、開口部２４及び開口部４４は、それぞれ、閉じた内縁によって画定された貫通孔である。勿論、第１の吸着部材２０の開口部２４と第１の被覆膜３０及び第２の被覆膜４０の開口部３４、４４とは、異なる形状に開設してもよいし、異なる位置に位置することもでき、必要に応じて、電子機器２の視覚センサ５又は他の機能部品（例えば、光源、ヘッドホンジャック、又は機能ボタンなど）に対応するように他の開口部を追加してもよい。
図３Ｂに示すように、吸着体３Ｔは、吸着体２０に対応する形状やサイズ（回折格子フィルム１０の長辺に沿って帯状に延伸される）を有し、吸着体３Ｔは、電子機器２の視覚センサ５が覆われないようにそれに対応して、吸着体２０の開口部２４と第１の被覆膜３０及び第２の被覆膜４０の開口部３４、４４に対応する開口部３Ｔ０を有する。
図３Ｃに示すように、幅及び長さがいずれも吸着部材２０の半分以下の２つの吸着体３Ｔ 'は、視覚部材５を覆わないように、電子機器２の表示画面４の外側、及び視覚センサ５の左右両側に貼り付けて、吸着部材２０と対応して吸着することができる。言い換えれば、本実施形態の吸着体は、吸着部材に対応して吸着されており、電子機器に予め設定されていてもよいし、電子機器の外面に自由に貼り付けていてもよい。
【００２６】
図４Ａ及び図４Ｂを参照すると、図４Ａは、一実施形態である図１の回折格子フィルム１０を示す断面図であり、図４Ｂは、他の実施形態である図１の回折格子フィルム１０を示す断面図である。
【００２７】
回折格子フィルム１０は、図４Ａに示すように、２つの外層１０１、１０３及び格子層１０２を含んでいるが、回折格子フィルム１０は、図４Ｂに示すように、１つの外層１０３のみを有してもよい。しかし、本実施形態はこれらに限定されない。外層１０１、１０３は、光透過性の高い材料からなる樹脂層であってよく、例えば、ポリイミド（ＰＩ）、ポリエチレンテレフタレート（ＰＥＴ）、ポリカーボネート（ＰＣ）、ポリメチルメタクリレート（ＰＭＭＡ）、及びトリアセチルセルロース（ＴＡＣ）から作製することができる。格子層１０２は、２つの外層１０１、１０３の間に固定されてもよく、例えば、図４Ａのように、外層１０１、１０３を格子層１０２の両面にそれぞれ接着してもいいか、又は、図４Ｂのように、格子層１０２を外層１０３に固定してもいい。
【００２８】
図４Ａ及び図４Ｂに示すように、回折格子フィルム１０の格子層１０２は、マイクロルーバー原理（micro-louver principle）に従って構成された複数の不透明な格子壁１０２１を含んでいる。各格子壁１０２１が平行かつ等距離に（すなわち、直立ルーバー構造）設定されることにより、光を特定の角度αに限定させることができる。格子壁１０２１は、三次元印刷法で外層１０３に直接印刷することができるか（図４Ｂ）、又は、格子壁１０２１が形成された後に、格子層１０２（格子壁１０２１）が外層１０１と１０３との間に位置するように外層１０１を貼り付けることができる。他の実施形態において、格子層１０２は、繰り返して積層された透明材料と不透明材料とを直交することによって形成することができる。別の実施形態において、格子層１０２と外側層１０１、１０３とは粘着層によってそれぞれ接着することができる。
回折格子フィルム１０は、吸着部材２０と同じ又はそれに近い厚さを有することができる。いくつかの実施形態において、回折格子フィルム１０全体の厚さは、０．２５、０．３０〜０．３５ｍｍ±５〜２０％の範囲にすることができる。様々な実施形態において、吸着部材の厚さは、例えば、０．２５〜０．７ｍｍの間、又は０．４、０．５、０．６もしくは０．７ｍｍ±５〜２０％の範囲内にすることができる。このように、回折格子フィルム１０は、図中矢印Ｖで示されるように、正面視格子層１０２の角度（すなわち、ゼロ角度）である一定の角度αの可視範囲のみを提供することができる。これにより、本校によれば、光が遮られないので、視認性は影響を受けず、角度αのずれが大きいほど明るさが低くなるため、のぞき見防止や情報の機密保持効果を十分に発揮することができる。
回折格子フィルム１０の視野角変化によるのぞき見防止の効果が得られる理由は、様々な視野角における回折格子フィルム１０の可視光線透過率と密接に関係しているということである。例えば、一組の実施形態では、５５０ｎｍの波長を有する可視光を使用してスクリーン保護フィルタ１の視界領域１Ｂを実験する。０度の視野角では、５２．１３％、５４．１６％、５６．６６％、５９．８６％、６１．５５％及び６４．２２％など複数の透過率データを得ることができ、１５度の視野角では、光透過率データは依然として３３．１０％、３７．２８％又は４６．８％のレベルまでに達することができるが、左右の視野角が３０度に達すると、光透過率データは、例えば、２．５５％、５．１０％又は８．６３％など、１０％未満に急激に減少する。これらの実施形態では、スクリーン保護フィルタ１の視界領域１Ｂの許容視野角範囲は、左右約３０度だけであり、合計は約６０度の許容視野角範囲である。言い換えれば、回折格子フィルム１０及びその格子層１０２は、視界領域１Ｂを通過する光を許容視野角範囲に限定するために使用される。
【００２９】
本考案の一実施形態の第１の被覆膜３０及び第２の被覆膜４０は、例えば、透明なポリイミド（ＰＩ）、ポリエチレンテレフタレート（ＰＥＴ）、ポリカーボネート（ＰＣ）、ポリメチルメタクリレート（ＰＭＭＡ）又はセルローストリアセテート（ＴＡＣ）で作製され、第１の被覆膜３０及び第２の被覆膜４０を構成する材料は、同一でもよく、異なっていてもよい。第１の被覆膜３０及び第２の被覆膜４０の厚さについて、いくつかの実施形態において、第１の被覆膜３０及び第２の被覆膜４０の厚さは、例えば、それぞれ０．０５、０．０７５、０．１０、又は０．１２５ｍｍ±５〜２０％の範囲にしてもいい。ここで、第１の被覆膜３０及び第２の被覆膜４０自体ならびに１つ又は複数のコーティング層の厚さが含まれてもよいし含まれなくてもよい。特に単一の外層１０３のみを有する回折格子フィルム１０自体を、格子層１０２が表面を支持するために提供する場合に、回折格子フィルム１０自体は、スクリーン保護フィルタ１を平坦な平面内に維持するのに十分な構造強度を有さない。そのため、第１の被覆膜３０と第２の被覆膜４０とを表裏で貼り合わせることで、回折格子フィルム１０と吸着部材２０とを平坦な平面に保つことができ、すなわちスクリーン保護フィルタ１全体を平坦な平面に保つことができ、反ることなく電子機器２の表示画面４に平らで貼り付けられるという要件を満たす。
より重要なことには、第１の被覆膜３０と第２の被覆膜４０を表裏で貼り合わせるのは、２つの別々の平面部材である回折格子フィルム１０と吸着部材２０が接合部で傾いたり曲げたりしないように十分な構造強度を与えなければならない。また、指紋、低グレア、低反射光、耐スクラッチ性などを伴わずにユーザのニーズを満たすために、第１の被覆膜３０及び第２の被覆膜４０の内面及び／又は外面は、１つ又は複数のコーティング層を有すればよく、コーティング層は、指紋防止コーティング層（超低摩擦係数）、グレア防止コーティング層、反射防止コーティング層、ブルー防止コーティング層、ハードコーティング層の群から選択された１つ又はそれらの任意の組み合わせである。いくつかの実験例では、反射防止コーティング層は、スクリーン保護フィルタ１の透過率を８〜１２％増加させることができ、従来のスクリーン保護フィルタ１の透過率が低い問題を改善することができる。
【００３０】
さらに、図５を参照されたい。図５は、本考案のスクリーン保護フィルタ１の他の実施形態の分解斜視図である。
【００３１】
本実施形態では、スクリーン保護フィルタ１は、回折格子フィルム１０及び第１の吸着部材２０を第１の被覆膜３０と第２の被覆膜４０との間にそれぞれ貼り付けるための透明な第１の粘着層３０１及び第２の粘着層４０１をさらに含んでいるため、スクリーン保護フィルタ１全体としては一定の構造強度を有する上に、平坦な平面内に維持することができる。さらに重要なことは、第１の被覆膜３０及び第２の被覆膜４０を、第１の粘着層３０１及び第２の粘着層４０１の表裏に貼り付けることにより、十分な構造強度を提供することができるため、２つの独立した平面部材である回折格子フィルム１０と第１の吸着部材２０とは、接合部で傾いたり曲がったりすることはなくなっている。
この目的を達成するためには、いくつかの実施形態では、第１の粘着層３０１及び第２の粘着層４０１の厚さと、第１の被覆膜３０及び第２の被覆膜４０の厚さの合計を、少なくとも、回折格子フィルム１０及び第１の吸着部材２０の厚さの１／８にすることが挙げられている。異なる実施形態では、第１の粘着層３０１及び第２の粘着層４０１の厚さと、第１の被覆膜３０及び第２の被覆膜４０の厚さの合計は、回折格子フィルム１０及び第１の吸着部材２０の厚さの１／７、１／６、１／５、１／４、１／３、１／２、又は１／１であるとすることができる。要するに、全体の厚さが薄いほど、構造強度が高い第１の被覆膜３０及び第２の被覆膜４０と第１の粘着層３０１及び第２の粘着層４０１を使用することが必要である。
第１の粘着層３０１と第２の粘着層４０１は、硬化後の硬度が高い光硬化接着剤を用いることで、第１の被覆膜３０及び第２の被覆膜４０ならびに第１の粘着層３０１及び第２の粘着層４０１の個々及び全体の厚さを減らすのを助ける。第１の粘着層３０１及び第２の粘着層４０１の外周縁は、第１の粘着層３０１及び第２の粘着層４０１の外周縁に対応する。第１の粘着層３０１は、被覆膜３０と回折格子フィルム１０及び吸着部材２０との間に配置され、回折格子フィルム１０及び第１の吸着部材２０を被覆膜３０に接着する。第２の粘着層４０１は、回折格子フィルム１０及び第１の吸着部材２０と被覆膜４０との間に配置され、回折格子フィルム１０及び第１の吸着部材２０を被覆膜４０に接着する。
いくつかの実施形態では、第１の粘着層３０１及び第２の粘着層４０１は、透明な粘着シート（ＯＣＡ両面テープ）、例えば、２枚の剥離セパレータの間に挟まれたアクリル系粘着剤によって実現され、打抜き機で打抜き成形することができる。加工する際に、剥離セパレータ膜を剥がし、第１の面を貼り合わせた後、他の剥離セパレータ膜を剥がし、第２の面を貼り合わせる。一実施形態では、第１の粘着層３０１及び第２の粘着層４０１の厚さは、約０．０２５、０．０３５、０．０５、又は０．０７５ｍｍ±５〜２０％の範囲にすることができる。
図５に示すように、第１の粘着層３０１と第２の粘着層４０１には開口部３０１Ｈ、４０１Ｈがそれぞれ設けられ、そのサイズと形状位置は第１の被覆膜３０と第２の被覆膜４０の開口部３４、４４及び吸着部材２０の開口部２４に対応する。開口部３４、開口部２４及び開口部４４と同様に、開口部３０１Ｈ及び４０１Ｈも、それぞれ閉じた内縁によって画定される貫通孔である。さらに、真空加圧が完了した後に、ＵＶランプによる照射により、スクリーン保護フィルタ全体の構造強度を一層補強させることができる。
【００３２】
電子機器の表示画面の周囲における吸着体と視覚センサ（又は他の機能部品）の配置位置、大きさ及び形状は、異なる可能性がある。したがって、スクリーン保護フィルタ１の構造は、スクリーン保護フィルタ１を表示画面の周りに対応して吸着させたり、かつ、視界領域１Ｂを表示画面に対応したり、吸着領域１Ａの開口部３４、開口部２４及び開口部４４を視覚センサ（他の機能部品）に対応したりするように、わずかに調整される必要がある。以下、各実施形態及び関連図面によりさらに説明する。
【００３３】
図６は、本考案に係わる他の実施形態でのスクリーン保護フィルタ１を示す分解斜視図である。図６に示すように、スクリーン保護フィルタ１は、上から下に順に配置された第１の吸着部材２０と、第１の被覆膜３０と第２の被覆膜との間に配置された回折格子フィルム１０'と、第２の吸着部材２０'とを含む。具体的には、回折格子フィルム１０'は、第１の吸着部材２０と第２の吸着部材２０'との間に配置され、さらに透明な第１の粘着層３０１と第２の粘着層４０１との間に覆われ、そして、第１の粘着層３０１及び第２の粘着層４０１の外側に第１の被覆膜３０及び第２の被覆膜４０を貼り付ける。第２の吸着部材２０'は、回折格子フィルム１０'の下方に配置されている。これは、スクリーン保護フィルタ１は、電子機器の内部及び表示スクリーンの下に配置された吸着体（図示せず）にも対応して吸着可能のようにするためである。
第１の粘着層３０１及び第２の粘着層４０１の外周縁は、第１の粘着層３０１／第２の粘着層４０１の外周縁に対応している。上述のように、第１の粘着層３０１及び第２の粘着層４０１の構造及び相対的な関係は既に説明された以上、説明の便宜のために、以下の他の構成要素の構造的関係の説明において、第１の粘着層３０１及び第２の粘着層４０１についての説明を省略する。図６に示すように、第１の吸着部材２０、回折格子フィルム１０'及び第２の吸着部材２０'は、互いにサイドバイサイド（side by side）に上下隣接して配置されている。つまり、第１の吸着部材２０の下縁部２２が隣接する回折格子フィルム１０'の上縁部１１'に位置合わされ、互いに接着剤で固定されてもよいし、互いに隣接のみしていてもよく、第２の吸着部材２０'の上縁部２１'が隣接する回折格子フィルム１０'の下縁部１２'に位置合わされ、互いに接着剤で固定されてもよいし互いに隣接のみしていてもよい。
図６では、第１の被覆膜３０の両側縁部３３Ａ、３３Ｂの上部、第１の吸着部材２０の両側縁部２３Ａ、２３Ｂ、及び第２の被覆膜４０の両側縁部４３Ａ、４３Ｂの上部がそれぞれ順次に前後位置合わされている。第１の被覆膜３０の両側縁部３３Ａ、３３Ｂの本体、回折格子フィルム１０'の両側縁部１３Ａ、１３Ｂ、及び第２の被覆膜４０の両側縁部４３Ａ、４３Ｂの本体がそれぞれ順次に前後位置合わされている。第１の被覆膜３０の両側縁部３３Ａ、３３Ｂの下部、第２の吸着部材２０'の両側縁部２３Ａ'、２３Ｂ '、及び第２の被覆膜４０の両側縁部４３Ａ、４３Ｂの下部がそれぞれ順次に前後位置合わされている。同様に、第１の被覆膜３０の上縁部３１、第１の吸着部材２０の上縁部２１、及び第２の被覆膜４０の上縁部４１は、それぞれ順次に前後位置合わされている。同様に、第１の被覆膜３０の下縁部３２、第２の吸着部材２０'の下縁部２２'及び第２の被覆膜４０の下縁部４２は、それぞれ順次に前後位置合わされている。
図３Ｂによる技術提案は、調整されたら、図６の実施形態、すなわち電子機器の表示画面の外側に吸着体がセットされていない場合に適用することができる。図６のスクリーン保護フィルタ１は、さらに、図６の第１の吸着部材２０の形状やサイズに対応し、電子機器の表示画面の上側に貼り付けるための図３Ｂの独立、分離した吸着体３Ｔを含む他、また、図６の第２の吸着部材２０'の形状やサイズに対応して互いに引き合うことが可能であって、電子機器の表示画面の下側に貼り付けるための別の吸着体をさらに含む。
同様に、図３Ｃによる技術提案は、調整されたら、図６の実施形態、すなわち電子機器の表示画面の外側に吸着体がセットされていない場合に適用することができる。図６のスクリーン保護フィルタ１は、さらに、図６の第１の吸着部材２０に対応して吸着するための図３Ｃの独立、分離した２つの吸着体３Ｔ'を含む外、図６の第２の吸着部材２０'の形状やサイズに対応し互いに引き合うことが可能な別の吸着体をさらに含む。
【００３４】
図７Ａ及び図７Ｂは、本考案における他の実施形態でのスクリーン保護スクリーン１の分解斜視図である。 図７Ａ及び図７Ｂにおいて、図５と同一の構成要素は同一の番号を付けして参照するので、その説明を省略する。図７Ａと図７Ｂとの違い点は、回折格子フィルム１０"の上端付近に収容部１４が形成されていることにある。第１吸着部材２０は収容溝１４に嵌合されている。第１吸着部材２０を回折格子フィルム１０"の表面に同一の平面にしてから、第１の吸着部材２０が嵌合された回折格子フィルム１０"を透明の第１の接着剤層３０１と第２の接着剤層４０１との間にさせるように覆うしている。次に、第１の被覆膜３０及び第２の被覆膜４０を、第１の粘着層３０１及び第２の粘着層４０１の外側に取り付けられている。この実施形態において、収容部１４は、回折格子フィルム１０"の上端部１１"の近くに位置している。また、収容部１４は、回折格子フィルム１０"の上端部１１"に沿って延伸していると共に、回折格子フィルム１０"の上端部に近接している。 収容部１４の両端部は、回折格子フィルム１０"の両側縁部１３Ａ"、１３Ｂ"にそれぞれ近接している。なお、スクリーン保護フィルタ１を電子機器に設置する際に第１吸収部材２０の位置を電子装置の視覚センサ、例えば、前面レンズなどの位置に対応するようにしているために、第１の吸着部材２０には、外光が通過され視覚センサに受け取られる開口部２４が形成されている。
【００３５】
図8は、本考案における他の実施形態でのスクリーン保護スクリーン１の分解斜視図である。 図8において、図７Ａ及び図７Ｂと同一の構成要素は同一の番号を付けして参照するので、その説明を省略する。図８における違い点は、回折格子フィルム１０'''の上端付近に第１の収容部１5及び第２の収容部１6が形成されていることにある。二つの第１吸着部材２０はそれぞれ第１の収容部１5及び第２の収容部１6に嵌合されている。第１吸着部材２０を回折格子フィルム１０'''の表面に同一の平面にしてから、第１の吸着部材２０が嵌合された回折格子フィルム１０'''を透明の第１の接着剤層３０１と第２の接着剤層４０１との間にさせるように覆うしている。この実施形態において、回折格子フィルム１０'''の上端部１１"の近い箇所には貫通孔１４'が形成されている。貫通孔１４'の位置を電子装置の視覚センサ、例えば、前面レンズなどの位置に対応するようにしている。第１の収容部１5及び第２の収容部１6はそれぞれ、貫通孔１４'の対向する両側に形成されていると共に、回折格子フィルム１０'''の上端部１１'''に沿って延伸している。
【００３６】
図９は、本考案に係わる他の実施形態でのスクリーン保護フィルタ１を示す分解斜視図である。 図９に示すように、違い点は、第１の吸着部材２０が略矩形環状のシートであり、回折格子フィルム１０'''を嵌め込むための本開口部２５を有し、かつ、上縁部１１'''、下縁部１２'''及び両側縁部１３Ａ'''、１３Ｂ'''を含む回折格子フィルム１０'''の外周縁を４つの内周縁２５１、２５２、２５３、２５４を含む第１の吸着部材２０の本開口部２５の内周に隣接して位置合わせることにある。このように、電子機器の表示画面の周りに吸着体が設けられている場合に、図９に示すスクリーン保護フィルタ１では、その矩形環状の第１の吸着部材２０で対応して引き合うことが可能である。この矩形環状の第１の吸着部材２０には、対応するサイズ及び形状の回折格子フィルム１０が配置され、対応する部材の代わりに、図１、図２Ａ及び図３Ａのスクリーン保護フィルタ１において実現することができる上に、各図における異なる技術提案とを共に実現することができる。
図３Ｂによる技術提案は、調整されたら、図９の実施形態、すなわち電子機器の表示画面の外側に吸着体がセットされていない場合に適用されることができる。図9に示すスクリーン保護フィルタ１では、さらに、図９の吸着部材２０の形状やサイズに対応して引き合うことが可能であって、矩形環状シートとして電子機器の表示画面の外側に貼り付けるための図３Ｃの独立、分離した吸着体３Ｔを含む。
同様に、図３Ｃの技術提案は、調整されたら、図9月の実施形態、すなわち電子機器の表示画面の外側に吸着体がセットされていない場合に適用されることができる。図７に示すスクリーン保護フィルタ１では、さらに、図9の吸着部材２０に対応して引き合うことが可能であって、電子機器の表示画面の外側ごとに貼り付けるための図３Ｃの独立、分離した１つ又は複数の吸着体３Ｔ'を含む。
【００３７】
図10Ａ及び図10Ｂを参照すると、図10Ａは、他の実施形態でのスクリーン保護フィルタ１を示す斜視図であり、図10Ｂは、図10Ａにおける領域10Ｈを示す部分拡大図である。この実施形態と図２Ａ 、図２Ｂの実施形態との違いては、開口部３４ '、開口部２４ '、及び開口部４４ 'は、それぞれ、開放した一側及び３つの内縁３４１、３４２、３４３及び内縁２４１、２４２，２４３、内縁４４１、４４２、４４３により画定されるノッチで形成されることにある。開口部３４ '、開口部２４ '及び開口部４４ 'の三者のサイズ、形状及び位置は、互いに対応し、略台形又は矩形である。図10Ａ及び図10Ｂ中の開口部３４ '、開口部２４ '、及び開口部４４ 'は、対応する部材の代わりに図１、図２Ａ 、図２Ｂ、図３Ａ、図６、図9のスクリーン保護フィルタ１で実現することができ、それぞれの図における異なる技術提案とを共に実施され、図６、図9に適用されるときる。
第１の粘着層３０１及び第２の粘着層４０１の開口部３０１Ｈ及び４０１Ｈ（図示せず）は、そのサイズ及び形状が第１の被覆膜３０及び第２の被覆膜４０の開口部３４'、４４'、及び吸着部材２０の開口部２４'に対応する。開口部３４'、開口部２４'及び開口部４４'も同様であり、この例でも、開口部３０１Ｈ及び４０１Ｈも、図10Ｃ（図10Ａ、図10Ｂの開口部３４'、２４' 、４４'の方案を図６の実施形態に適用）、図10Ｄ（図10Ａ、図10Ｂの開口部３４'、２４'、４４'の方案を図9の実施形態に適用）に示すように、片側で開放し、３つの側内縁で定義される長方形又は台形の切欠きである。
図３Ｂの技術提案は、調整されたら、図10Ａ、図10Ｂの実施形態、すなわち電子機器の表示画面の外側に吸着体がセットされていない場合に適用することができる。図８Ａ、図８Ｂに示すスクリーン保護フィルタ１は、図10Ａ、図10Ｂの吸着部材２０の形状やサイズ（回折格子フィルム１０の長辺に沿って帯状に延伸し、図10Ａ、図10Ｂに対応するように開口部３Ｔ０を切欠きに変更する）に対応して互いに引き合うことが可能であって、電子機器の表示画面の上側に貼り付けるための図３Ｂの独立、分離した吸着体３Ｔをさらに含む。
同様に、図３Ｃによる技術提案は、調整されたら、図10Ａ、図10Ｂの実施形態、すなわち電子機器の表示画面の外側に吸着体がセットされていない場合に適用することができる。図10Ａ、図10Ｂに示すスクリーン保護フィルタ１は、図10Ａ、図10Ｂの吸着部材２０に対応して吸着され、電子機器の表示画面の上側に貼り付けるための図３Ｃの独立、分離した１又は複数の吸着体３Ｔ'をさらに含む。
図7Ａによる技術提案は、調整されたら、図10Ａの実施形態に適用されることができる。図１０Ｅを参照する。回折格子フィルム１０"の上端部１１"には収容部１４'が形成されている。収容部１４ 'には、開口部２４'の両側に幅の広い部分を形成しているが、開口部２４ 'の下側の縁部に幅の狭い部分を形成しており、幅のより狭い部分は、前記幅のより広い二つの部分の間に位置していると共に、前記幅のより広い二つの部分を連接している。第１の吸着部材２０ 'の形状は、収容部１４'の形状に対応していると共に、収容部１４ 'に嵌合することが可能である。第１の吸着部材２０ 'を収容溝１４'に嵌合させると共に、第１の吸着部材２０ 'を回折格子フィルム１０"の表面と同一の平面上にするように設置する。
【００３８】
図１１Ａ、図１１Ｂを参照し、図１１Ａは、本考案のスクリーン保護フィルタ１の他の実施形態の斜視図であり、図１１Ｂは、図１１Ａの領域１１Ｈの部分拡大図であり、両図とも第１の粘着層３０１及び第２の粘着層４０１を省略する。この実施形態と図１０Ａ、図１０Ｂの実施形態との違い点は、元々一体であった第１の吸着部材２０が間隙（ギャップ）２４"によって隔てられて２つの半吸着部材２０Ｌ、２０Ｒを形成し、半吸着部材２０Ｌと２０Ｒとは完全に分離されて左右に位置合わせられるように、左側の半吸着部材２０Ｌと右側の半吸着部材２０Ｒとの間に画定されている点にある。
間隙２４"の垂直方向の深さは、半吸着部材２０Ｌ及び２０Ｒの短辺の長さと等しい。吸着部材２０Ｌ及び２０Ｒの長辺の長さは、回折格子フィルム１０の長辺の長さの半分以下である。第１の被覆膜３０及び第２の被覆膜４０は、ギャップ２４"のサイズ及び形状位置にそれぞれ前後に対応し、略台形又は長方形になる開口部３４"、４４"をそれぞれ有する。開口部３４"、４４"は、それぞれ片側に開口し、３つの側内縁３４７、３４８、３４９と内縁４４７、４４８、４４９とにより画定される。半吸着部材２０Ｌと半吸着部材２０Ｒとの間の間隙２４"は、半吸着部材２０Ｌの側縁部２４７、半吸着部材２０Ｒの側縁部２４９、及び回折格子フィルム１０の上縁中央部１１８によって画定される。半吸着部材２０Ｌ及び半吸着部材２０Ｒは、それぞれ、回折格子フィルム１０とはサイドバイサイド（side by side）に上下隣接して配置されている。すなわち、半吸着部材２０Ｌの下縁部２２Ｌは、隣接する回折格子フィルム１０の左上縁部１１Ｌと上下整列して配置され、両者が接着固定してもよいし、隣接のみにしてもよく、半吸着部材２０Ｒの下縁部２２Ｒは、隣接する回折格子フィルム１０の右上縁部１１Ｒと位置合わされ、両者が接着固定してもよいし、隣接のみにしてもよい。第１の被覆膜３０の左上縁部３１Ｌ、半吸着部材２０Ｌの上縁部２１Ｌ、及び第２の被覆膜４０の左上縁部４１Ｌは、それぞれ前後順次に位置合わされている。同様に、第１の被覆膜３０の右上縁部３１Ｒ、半吸着部材２０Ｒの上縁部２１Ｒ、及び第２の被覆膜４０の右上縁部４１Ｒは、それぞれ前後順次に位置合わされている。
図8による技術提案は、調整されたら、図１１Ａの実施形態に適用されることができる。図１１Ｅを参照する。回折格子フィルム１０"の上端部１１"には収容部１５'及び収容部１６'が形成されている。収容部１５ '及び収容部１６'にはそれぞれ、開口部２４'の両側に形成されているが、二つの開口部２４ 'の形状は、収容部１５ '及び収容部１６'に対応していると共に、収容部１５ '及び収容部１６'がそれぞれ嵌合されるように形成している。第１の吸着部材２０ 'をそれぞれ収容部１５ '及び収容部１６'に嵌合させると共に、第１の吸着部材２０ 'を回折格子フィルム１０"の表面と同一の平面上にするように設置する。
【００３９】
図１１A及び図１１Ｂにおける左右に完全隔てられた半吸着部材２０Ｌと半吸着部材２０Ｒ、第１の被覆膜３０の開口部３４"、隙間２４"、第２の被覆膜４０の開口部４４"による技術提案は、図１、図２Ａ、図２Ｂ、図３Ａ、図５、図6、図９のスクリーン保護フィルタ１に適用することができる。図１１Ａ及び図１１Ｂによる技術提案を図５、図6、図７に適用すると、 第１の粘着層３０１及び第２の粘着層４０１の開口部３０１Ｈ及び４０１Ｈ（図示せず）は、第１の被覆膜３０及び第２の被覆膜４０の開口部３４"、４４"、半吸着部材２０と半吸着部材２０'との間の間隙２４"に対応する大きさ及び形状を有する。図１１Ａ及び図１１Ｂによる技術提案は図５、図６に適用すると、図５、図６の開口部３０１Ｈ及び４０１Ｈは、図１１Ａ及び図１１Ｂの開口部３４"、開口部２４"及び開口部４４"と同様であり、すなわち、図５、図６の開口部３０１Ｈ及び４０１Ｈも、図９Ｃに示すように、開放した一側及び３つの内縁により画定された長方形又は台形の切欠きである。図１１Ａ及び図１１Ｂによる技術提案は図７に適用すると、２つの半吸着部材２０Ｌ、２０Ｒは、図１１Ｄに示すように、回折格子フィルム１０"の外周縁に沿って環状に環設され、回折格子フィルム１０"の外周に２つの半吸着部材２０Ｌ、２０Ｒの本開口部２０の内周縁に隣接するように回折格子フィルム１０"を嵌め込むための本開口部２５が形成される。
【００４０】
図１２Ａは、本考案に係わる他の実施形態でのスクリーン保護フィルタ１を示す斜視図である。図１２Ａと図１１Ａとの主な違い点は、図１２Ａのスクリーン保護フィルタ１の回折格子フィルム１０の下縁部１２の１つ以上の隅角部に、引き込み状の１つ又は２つの収容部１４、１４'（図１２Ａでは直線状で、２つの半吸着部材２０Ｌと２０Ｒの間に位置される）にカットされること、及び、スクリーン保護装置１は、さらに、回折格子フィルム１０とそれぞれ位置合わされて回折格子フィルム１０の収容部１４、１４'に隣接して配置された１つ以上の第３の吸着部材５０、５０'を含むことにある。
ここで、第３の吸着部材５０は、内側の辺５１（図１２Ａでは直線状）と、内側の辺５１の両外端にそれぞれ接続されて互いに略直交する底辺５２及び垂直の辺５３とを有する（第３の吸着部材５０は略三角形である）。第３の吸着部材５０'は、内側の辺５１'（図１２Ａでは直線状）と、内側の辺５１'の両外端にそれぞれ接続されて互いに略直交する底辺５２'及び垂直の辺５３'とを有する（第３の吸着部材５０'は略三角形である）。さらに、回折格子フィルム１０の収容部１４は、隣接する第３の吸着部材５０の内側の辺５１と位置合わされ、両者が接着することで固定してもよいし互いに隣接のみにしてもよく、回折格子フィルム１０の収容部１４'は、隣接する第３の吸着部材５０の内側の辺５１'と位置合わされ、両者が接着することで固定してもよいし互いに隣接のみにしてもよい。
第３の吸着部材５０、５０'は、図１２Ａ中の第１の被覆膜３０と第２の被覆膜４０との間の下側の２つの隅角部にそれぞれ貼り付けられている。図１２Ａでは、第１の被覆膜３０の両側縁部３３Ａ、３３Ｂの下側、第３の吸着部材５０、５０'の垂直の辺５３、５３'、及び第２の被覆膜４０の両側縁部４３Ａ、４３Ｂの下側は、それぞれ前後に順次位置合わせられている。同様に、第１の被覆膜３０の下縁部３２の両外縁部、第３の吸着部材５０、５１'の下縁部５２、５２'、及び第２の被覆膜４０の下縁部４２の両外縁部は、それぞれ前後に順次位置合わせられている。
【００４１】
２つの半吸着部材２０Ｌ、２０Ｒ、回折格子フィルム１０、及び第３の吸着部材５０、５０'は、独立した部材であるが、第１の被覆膜３０と第２の被覆膜４０との間に同時に貼り付けられた際に、一定の構造強度を維持することができ、その結果、スクリーン保護フィルタ１は、反らなく平坦に保たれることができる。第３の吸着部材５０、５０'は、スクリーン保護フィルタ１の反りを防止するためのものであり、大型（例えば、対角線が２０インチ以上）のスクリーン保護フィルタ１の実現上で特に顕著であり、もちろん、電子機器２の表示画面４は、底部の隅角部に吸着体３を備える場合、第３の吸着部材５０、５０'は、電子機器２の表示画面４の底部の隅にある吸着体３に対応して引き合うことができる。
【００４２】
図１０Ａでの底部の隅角部にある引き込み状の収容部１４、１４'が、垂直の辺５３、５３'、底辺５２、５２'及び内側の辺５１、５１'を有する前述の第３の吸着体５０、５０' を有する技術提案に合わせて、対応する構成要素の代わりに、図１、図２Ａ 、図２Ｂ、図３Ａ、図５、図１０Ａ、図１１Ａのスクリーン保護フィルタ１において実現可能で、それぞれの図面において異なる技術提案と共に実現することができる。ここで、図８Ａの実施形態に適用される場合、図１２Ｂに示される。
【００４３】
図１３Ａは、本考案に係わる他の実施形態でのスクリーン保護フィルタ１を示す斜視図である。図１３Ａと図１２Ａとの主な違い点は、第３の吸着部材５０、５０'全体が略Ｌ字状のシートとして形成されていることにある。具体的には、図１３Ａのスクリーン保護フィルタ１の回折格子フィルム１０の下縁部１２の１つ以上の隅角部にはカットされて互いにほぼ垂直である１対以上の収容部１４１、１４２及び／又は１４１'、１４２ '（図１３Ａでは逆Ｌ字状）を形成する。また、スクリーン保護フィルタ１は、それぞれ回折格子フィルム１０と位置合わされ、回折格子フィルム１０の収容部１４１、１４２及び／又は１４１'、１４２ 'に隣接して配置された１つ以上の第３の吸着部材５０、５０'をさらに含む。
ここで、第３の吸着部材５０は、一対の内側の辺５１０、５１２（図１０Ａでは逆Ｌ字状）と、内側の辺５１１、５１２の外端部にそれぞれ接続され互いに略直交する底辺５２と垂直の辺５３とを有する（ 第３の吸着部材５０は略長方形となる）。第３の吸着部材５０'は、一対の内側の辺５１１'、５１２'（図１２Ａでは逆Ｌ字状）と、内側の辺５１１'、５１２'の外端部にそれぞれ接続され互いに略直交する底辺５２'と垂直の辺５３'とを有する（第３の吸着部材５０'は略長方形となる）。さらに、回折格子フィルム１０の収容部１４１、１４２は、隣接する第３の吸着部材５０の内側の辺５１１、５１２とそれぞれ位置合わされ、両者が接着することで固定されてもよいし互いに隣接のみにしてもよく、回折格子フィルム１０の収容部１４１'、１４２'は、隣接する第３の吸着部材５０'の内側の辺５１１'、５１２'とそれぞれ位置合わされ、両者が接着することで固定されてもよいし互いに隣接のみにしてもよい。
【００４４】
図１３Ａでは、底部隅の切欠きである一対の収容部１４１、１４２及び１４１'、１４２ 'を有する回折格子フィルム１０と、それに合わせる前記の垂直の辺５３、５３'、底辺５２、５２'及び一対の内側の辺５１１、５１２／５１１'、５１２'を有する第３の吸着部材５０、５０'との技術提案も、対応する構成要素の代わりに図１、図２Ａ 、図２Ｂ、図３Ａ、図５、図6、図７ 、図 １０Ａ 、図 １１Ａ、図１２Ａのスクリーン保護フィルタ１において、各図における様々な技術提案とを併せて実現することができる。ここで、図１３Ａは、図１３Ｂに示されるように図１０Ａの実施形態に適用される。図１２Ａ及び図 １３Ａの第３の吸着部材５０、５０'は、直角三角形又はＬ字状であるが、異なる実施形態では、第３の吸着部材５０、５０'は、異なるアスペクト比を有する長方形又は他の多角形であってもよい。
【００４５】
図１４Ａ及び図１４Ｂを参照すると、図１４Ａは、他の実施形態でのスクリーン保護フィルタ１を示す斜視図であり、図１４Ｂは、図１４Ａの領域１２Ｈの部分拡大図である。この実施形態と図１０Ａ、図１０Ｂの実施形態との違い点は、スクリーン保護フィルタ１が、長方形、台形又は他の多角形の形状であるタブ６０を有することにある。図１４Ａ及び図１４Ｂでは、タブ６０は、回折格子フィルム１０の外側に位置し、第１の被覆膜３０及び第２の被覆膜４０から延びた凸状片３５、４５を前後に加圧することによって接合された。回折格子フィルム１０は外側に延伸されないため、第１の被覆膜３０と第２の被覆膜４０の凸状片３５、４５が前後に接合されてタブ６０を形成する時に隙間ができ、このとき粘着剤６０１（例えば透明ＯＣＡ両面テープ）で埋めればよい。図１４Ｃは、本考案に係わる他の実施形態でのスクリーン保護フィルタを示す部分拡大斜視図である。図１４Ｃでは、タブ６０は、第１の被覆膜３０及び第２の被覆膜４０から延びた凸状片３５、４５と、回折格子フィルム１０から延びた凸状片１５とを前後に加圧することによって接合された。さらに、異なる実施形態では、タブ６０は、回折格子フィルム１０の外側のいずれかの一方側に配置される他に、吸着部材２０の外側のいずれかの一方側に配置されてもよいし、回折格子フィルム１０と吸着部材２０との接合部の外側のどちら側に配置されてもよい。
【００４６】
図15Ａ、図１５Ｂ、図１５Ｃを参照すると、図１５Ａは、本考案に係わる他の実施形態でのスクリーン保護フィルタ１を示す部分拡大斜視図であり、図１５Ｂは、本考案に係わる他の実施形態でのスクリーン保護フィルタ１を示す部分拡大斜視図であり、図１５Ｃは、本考案に係わる他の実施形態でのスクリーン保護フィルタ１を示す部分拡大斜視図である。
図１５Ａは、スクリーン保護フィルタ１の回折格子フィルム１０と吸着部材２０との接合部を示し、被覆膜３０、第１の粘着層３０１、上下に隣接する吸着部材２０と回折格子フィルム１０、第２の粘着層４０１、及び被覆膜４０の順に積層した立体構造を示し、図５及び図６に示した構造と同様である。図１３Ｂは、スクリーン保護フィルタ１が、第１の粘着層３０１の裏面と吸着部材２０の表面との間に位置される飾り層７１をさらに含み、その形状及び位置が吸着部材２０と同様であることを示す。
飾り層７１は、加工する前に、吸着部材２０の表面に顔料を塗布したり、塗料を吹き付けたり印刷したりすることにより実現するか、又は、印刷パターンを有するフィルムを吸着部材２０の表面に貼り付けることにより実現することができる。飾り層７１は、第１の被覆膜３０及び第２の被覆膜４０の上縁部３１、４１、側縁部３３Ａ、３３Ｂ及び４３Ａ、４３Ｂ、ならびに第１の吸着部材２０の上縁部２１及び側縁部２３Ｂに位置合わされる外周縁７１０を有する。同時に、飾り層７１は、回折格子フィルム１０の前側上縁１１１に隣接して位置合わせる下縁部７１１を有し、吸着部材２０の下縁部２２は、依然として回折格子フィルム１０の本上縁部１１０に隣接して位置合わせたまま、すなわち、飾り層７１の下縁部７１１と吸着部材２０の下縁部２２とは、ともに、回折格子フィルム１０の上縁部１１（前側上縁１１１及び本上縁部１１０）に隣接して位置合わせられる。このようにして、飾り用部品は、スクリーン保護フィルタ１の内部に、すなわち回折格子フィルム１０と同じ層に位置するように実現することもでき、スクリーン保護フィルタ１を薄くすることができる。
【００４７】
図１５Ｃと図１５Ｂとの違い点は、第１の吸着部材２０の裏面と第２の粘着層４０１の表面との間に、飾り層７１と同様の他の飾り層７２をさらに備えることにある。飾りに使用される材料、加工方法、パターン、及び色などの視覚的要素は異なり得るが、飾り層７１及び飾り層７２は、いずれも飾りの目的である。
飾り層７２は、第１の被覆膜３０及び第２の被覆膜４０の上縁部３１、４１、側縁部３３Ａ、３３Ｂ及び４３Ａ、４３Ｂ、ならびに第１の吸着部材２０の上縁部２１及び側縁部２３Ｂに位置合わせられる外周縁７２０を有する。さらに、飾り層７２は、回折格子フィルム１０の後側上縁１１２に隣接して位置合わされた下縁部７２１を有し、第１の吸着部材２０の下縁部２２は、依然として回折格子フィルム１０の本上縁部１１０、すなわち飾り層７１の下縁部７１１、第１の吸着部材２０の下縁部２２、及び飾り層７２の下縁部７２１に隣接して位置合わされたままで、三者がともに回折格子フィルム１０の上縁部１１（前側上縁１１１、本上縁部１１０及び後側上縁１１２）に隣接して位置合わされた。従って、スクリーン保護フィルタ１の使用には表面及び裏面を有さず、ユーザにとっての自由に利用できる。
【００４８】
図１５Ｂ、図１５Ｃの飾り層７１及び／又は飾り層７２は、吸着部材２０の表面及び／又は裏面に配置されている。かかる方案では、対応する部材の代わりにすることが実現できるため、図１、図２Ａ 、図２Ｂ、図３Ａ、図５、図6、図９、図１０Ａ 、図１０Ｂ、図１１Ａ、図１１Ｂ、図１２Ａ 、図１３、図１４Ａ、図１４Ｂ 、図１４Ｃのスクリーン保護フィルタ１に実現することができる上に、様々な図中の異なる技術提案とを併せて実現することができる。例えば、飾り層７１及び／又は飾り層７２は、第１の吸着部材、第２の吸着部材、及び／又は第３の吸着部材の表面及び／又は裏面に配置されてもよい。図１５Ｂ及び図１５Ｃを参照すると、飾り層７１、７２は、第１の吸着部材２０の表面／裏面に設けられる外、他の実施形態では、飾り層７１／７２が第１の被覆膜３０及び第２の被覆膜４０の表面及び／又は裏面にそれぞれ配置されてもよく、吸着部材２０に対応する大きさ及び形状を有する。
【００４９】
図１６Ａは、本考案に係わる他の実施形態でのスクリーン保護フィルタを示す１斜視図である。図１６Ａのスクリーン保護フィルタ１は、第１の吸着部材２０が回折格子フィルム１０の短辺に沿って延びており、開口部３４、３０１Ｈ、２４、４０１Ｈ、４４がスクリーン保護フィルタ１又は回折格子フィルム１０の短辺側の第１の吸着部材２０上に配置されている点で、前述の各図と異なる。それが適用される電子機器２はタブレットコンピュータであり、視覚センサ５は電子機器２及び表示画面４の短辺側に配置されている。
【００５０】
図１６Ａの開口部３４、３０１Ｈ、２４、４０１Ｈ、４４は、スクリーン保護フィルタ１又は回折格子フィルム１０の短辺上の吸着部材２０上に配置されている。かかる方案では、対応する部材の代わりにすることが実現できるため、図１、図２Ａ、図２Ｂ、図３Ａ 、図３Ｂ、図３Ｃ、図５、図6、図９、図１０Ａ、図１０Ｂ、図１１Ａ、図１１Ｂ、図１２Ａ、図１３、図１４ 、図１５のスクリーン保護フィルタ１に実現することができる上に、各図における異なる技術提案と共に実現することができる。図１６Ｂは、図１６Ａによる提案を図１１Ｃの実施形態で実現されるときの正面図であり、図１６Ｃは、図１６Ａによる提案を図１０Ｃの実施形態で実現されるときの正面図であり、図１６Ｄは、図１６Ａによる提案を図６の実施形態で実現されるときの正面図であり、図１６Ｅは、図１６Ａによる提案を図１１Ｄの実施形態で実現されるときの正面図であり、図１６Ｆは、図１６Ａによる提案を図１０Ｄの実施形態で実現されるときの正面図であり、図１６Ｇは、図１６Ａによる提案を図９の実施形態で実現されるときの正面図である。
【００５１】
次に、スクリーン保護フィルタに対する曲げ剛性試験を行う。試験サンプル、試験方法及び結果は以下の通りであった。
【００５２】
《実施例１》
試料Ａは、本考案のスクリーン保護フィルタであり、その構造は図５に示すとおりである。試料Ｂは、図１５に示されるような構造を有するスクリーン保護フィルタである。そして、試料Ｃは、吸着部材を有しない市販のスクリーン保護フィルタである。試料Ａ、試料Ｂ及び試料Ｃは、いずれも２９．５ｃｍ×２０ｃｍのサイズ及び４５０μｍの厚さを有し、長辺に近い中間位置に開口部を設けた。
【００５３】
まず、試料Ａ、試料Ｂ及び試料Ｃの一方の側面に１００ｇの重りをそれぞれ固定して、短辺側に近い位置に耐荷重端とし、次に、試料Ａ、試料Ｂ及び試料Ｃの耐荷重端をテーブルの表面上から１１ｃｍ伸びて、耐荷重端を架空させ、耐荷重端は重りからの力によって下方に曲げられ、試料Ａ、試料Ｂ及び試料Ｃの他端は、１０００ｇの重りでテーブルに固定される。
【００５４】
次に、試料Ａ、試料Ｂ及び試料Ｃの耐荷重端とテーブル面との垂直距離をバーニアスケールで測定して表１に記録した後、水平テーブル面を０度に設定し、耐荷重端と水平テーブル面とのなす角度を換算する。角度は各試料のたるみであり、数値は表１に示される。
【００５５】
次に、０度１００％、９０度０％を用いて、試料Ａ、試料Ｂ及び試料Ｃのたるみを曲げ剛性（％）に換算して表１に記録した。
【００５６】
【表１】
0003221576.tif 000003
【００５７】
上記表１の結果から、試料Ａの曲げ剛性は、試料Ｂの曲げ剛性よりも１３．５％高く、試料Ｃの曲げ剛性よりも約１５．６％高いことがわかる。つまり、本考案のスクリーン保護フィルタは、従来技術のスクリーン保護フィルタよりも、著しく優れた曲げ強度を有し、外力で変形しにくいことがわかる。
【００５８】
《実施例２》
本実施例では、試験を行う際に、試料Ａ、試料Ｂ及び試料Ｃの耐荷重端がテーブル面から１４．９ｃｍ伸びて、試料の長辺の約中線位置、すなわち開口部の設置位置にする点を除いて、使用した試料及び試験方法は、実施例１と同じである。各試料のテーブル面までの耐荷重端の垂直距離、たるみ、曲げ剛性（％）を表２に示す。
【００５９】
【表２】
0003221576.tif 000004
【００６０】
表１及び表２の結果を比較すると、耐荷重端がより長く伸びられ、試料の長辺の中心線位置にも開口部が設けられるため、これもまた力の不均一性を引き起こして曲げ剛性を低下させる以外は、実施例１の試料Ａ、試料Ｂ及び試料Ｃよりも曲げ剛性が低いことがわかる。本実施例では、試料Ａの曲げ剛性は、試料Ｂの曲げ剛性よりも１４．１％高く、試料Ｃの曲げ剛性よりも約１８．６％高いことが分かられる。その増加幅はいずれも実施例１よりも優れた結果から見て、本考案のスクリーン保護フィルタにおいて開口部を設けた位置でも、依然として従来技術のスクリーン保護フィルタよりも優れた曲げ強度を有し、外力によって容易に変形することはないことが確認された。
【００６１】
以上のように、本実施形態のスクリーン保護フィルタは、何十年もの間、未解決だった外部付け部品の設計方向を転覆し、吸着部材が回折格子フィルムの縁部に隣接して配置されると共に、２枚の被覆膜を表裏に貼り付けることで、機能部品と飾り用部品とを回折格子フィルムと同じ層にうまく統合し、元々の素早い吸着除去機能と飾り的な要求を維持しながらスクリーン保護フィルタをさらに薄型化にする効果を達成した。さらに、本考案のスクリーン保護フィルタは、２枚の被覆膜に第１の粘着層及び第２の粘着層を前後に貼り付けることで、十分な構造強度を与えられ、独立した２つの平面部材である回折格子フィルムと吸着部材が接合部で傾いたり曲がったりすることはない。
【００６２】
前記開示された実施形態に対する説明は、当業者が本考案を実施又は使用することを可能にするために提供されている。これらの実施形態に対する様々な補正は、当業者にとって明らかであり、本明細書で定義された一般的な原理は、本考案の精神又は範囲から逸脱することなく他の実施形態において実施されてもよい。従って、本考案は、本明細書に示されている実施形態に限定されるものではなく、本明細書に開示されている原理及び新規な特徴と矛盾しない最も広い範囲である。
【符号の説明】
【００６３】
１          スクリーン保護フィルタ
１Ａ          吸着領域
１Ｂ          視界領域
１０          回折格子フィルム
１１          （回折格子フィルムの）上縁部
１２          （回折格子フィルムの）下縁部
１３Ａ、１３Ｂ          （回折格子フィルムの）側縁部
２０          第２の吸着部材
２１          （第１の吸着部材の）上縁部
２２          （第１の吸着部材の）下縁部
２３Ａ、２３Ｂ          （第１の吸着部材の）側縁部
２４、２４'、２４"           （第１の吸着部材の）開口部
３０          第１の被覆膜
３１          （第１の被覆膜の）上縁部
３２          （第１の被覆膜の）下縁部
３３Ａ、３３Ｂ          （第１の被覆膜の）側縁部
３４、３４'、３４"           （第１の被覆膜の）開口部
４０          第２の被覆膜
４１          （第２の被覆膜の）上縁部
４２          （第２の被覆膜の）下縁部
４３Ａ、４３Ｂ          （第２の被覆膜の）側縁部
４４、４４'、４４"           （第２の被覆膜の）開口部
２          電子機器
３、３Ｔ、３Ｔ'           吸着体
４          表示画面
５          視覚センサ
１０１、１０３          （回折格子フィルムの）外層
１０２          格子層
１０２１          格子壁
３０１          第１の粘着層
３０１Ｈ          （第１の粘着層の）開口部
４０１          第２の粘着層
４０１Ｈ          （第２の粘着層の）開口部
１０'           回折格子フィルム
１１'           （回折格子フィルムの）上縁部
１２'           （回折格子フィルムの）下縁部
１３Ａ'、１３Ｂ'           （回折格子フィルムの）側縁部
２０'           第２の吸着部材
２１'           （第２の吸着部材の）上縁部
２２'           （第２の吸着部材の）下縁部
２３Ａ'、２３Ｂ'           （第２の吸着部材の）側縁部
２５          （第１の吸着部材の）本開口部
２５１、２５２、２５３、２５４          （第１の吸着部材の本開口部の）内周縁
３４１、３４２、３４３          （開口部３４'の）内縁
２４１、２４２、２４３          （開口部２４'の）内縁
４４１、４４２、４４３          （開口部４４'の）内縁
２４"           隙間
２０Ｌ、２０Ｒ          半吸着部材
２４７          （半吸着部材２０Ｌの）側縁部
２４９          （半吸着部材２０Ｒの）側縁部
３４７、３４８、３４９          （開口部３４"の）内縁
４４７、４４８、４４９          （開口部４４"の）内縁
１１８          （回折格子フィルム１０の）上縁中央部
１１Ｌ          （回折格子フィルム１０の）左上縁部
１１Ｒ          （回折格子フィルム１０の）右上縁部
２２Ｌ          （半吸着部材２０Ｌの）下縁部
２２Ｒ          （半吸着部材２０Ｌの）下縁部
２１Ｌ          （半吸着部材２０Ｌの）上縁部
２１Ｒ          （半吸着部材２０Ｒの）上縁部
３１Ｌ          （第１の被覆膜３０の）左上縁部
３１Ｒ          （第１の被覆膜３０の）右上縁部
４１Ｌ          （第２の被覆膜４０の）左上縁部
４１Ｒ          （第２の被覆膜４０の）右上縁部
１４、１４'           収容部
５０、５０'           第３の吸着部材
５１          （第３の吸着部材５０の）内側の辺
５２          （第３の吸着部材５０の）底辺
５３          （第３の吸着部材５０の）垂直の辺
５１'           （第３の吸着部材５０'の）内側の辺
５２'           （第３の吸着部材５０'の）底辺
５３'           （第３の吸着部材５０'の）垂直の辺
１４１、１４２          （回折格子フィルム１０の）収容部
１４１'、１４２'           （回折格子フィルム１０の）収容部
５１１、５１２          （第３の吸着部材５０の）内側の辺
５１１'、５１２'           （第３の吸着部材５０'の）内側の辺
６０          タブ
３５          （第１の被覆膜３０から延びる）凸状片
４５          （第２の被覆膜４０から延びる）凸状片
６０１          粘着剤
１５          （回折格子フィルム１０から延びる）凸状片
７１、７２          飾り層
７１１          （飾り層の）下縁部
１１１          （回折格子フィルム１０の）前側上縁
１１０          （回折格子フィルム１０の）本上縁部
１１２          （回折格子フィルム１０の）後側上縁
７２０          （飾り層７２の）外周縁
７２１          （飾り層７２の）下縁部
【図１】
0003221576.tif 000005
【図２Ａ】
0003221576.tif 000006
【図２Ｂ】
0003221576.tif 000007
【図２Ｃ】
0003221576.tif 000008
【図３Ａ】
0003221576.tif 000009
【図３Ｂ】
0003221576.tif 000010
【図３Ｃ】
0003221576.tif 000011
【図４Ａ】
0003221576.tif 000012
【図４Ｂ】
0003221576.tif 000013
【図５】
0003221576.tif 000014
【図６】
0003221576.tif 000015
【図７Ａ】
0003221576.tif 000016
【図７Ｂ】
0003221576.tif 000017
【図８】
0003221576.tif 000018
【図９】
0003221576.tif 000019
【図１０Ａ】
0003221576.tif 000020
【図１０Ｂ】
0003221576.tif 000021
【図１０Ｃ】
0003221576.tif 000022
【図１０Ｄ】
0003221576.tif 000023
【図１０Ｅ】
0003221576.tif 000024
【図１１Ａ】
0003221576.tif 000025
【図１１Ｂ】
0003221576.tif 000026
【図１１Ｃ】
0003221576.tif 000027
【図１１Ｄ】
0003221576.tif 000028
【図１１Ｅ】
0003221576.tif 000029
【図１２Ａ】
0003221576.tif 000030
【図１２Ｂ】
0003221576.tif 000031
【図１３Ａ】
0003221576.tif 000032
【図１３Ｂ】
0003221576.tif 000033
【図１４Ａ】
0003221576.tif 000034
【図１４Ｂ】
0003221576.tif 000035
【図１４Ｃ】
0003221576.tif 000036
【図１５Ａ】
0003221576.tif 000037
【図１５Ｂ】
0003221576.tif 000038
【図１５Ｃ】
0003221576.tif 000039
【図１６Ａ】
0003221576.tif 000040
【図１６Ｂ】
0003221576.tif 000041
【図１６Ｃ】
0003221576.tif 000042
【図１６Ｄ】
0003221576.tif 000043
【図１６Ｅ】
0003221576.tif 000044
【図１６Ｆ】
0003221576.tif 000045
【図１６Ｇ】
0003221576.tif 000046
【図１７Ａ】
0003221576.tif 000047
【図１７Ｂ】
0003221576.tif 000048